(57)【特許請求の範囲】
【請求項１】
表示領域に配置され第１方向に間隔をおいて並べられ前記第１方向に交差する第２方向にそれぞれ延在した複数の第１電極と、
前記複数の第１電極と対向した本体部と、前記複数の第１電極のうち第１方向における端部に位置する端部第１電極と対向し前記本体部に接続され前記本体部よりも幅広である拡幅部と、を有する検出電極と、を備え、
前記複数の第１電極は、それぞれ個別に順次センサ駆動信号が供給されることで複数のセンサ駆動電極を構成し、或いは、互いに隣り合う複数の第１電極に同時にセンサ駆動信号が供給されることで当該互いに隣り合う複数の第１電極を束にした複数のセンサ駆動電極を構成するものであって、
前記センサ駆動信号の供給に伴い構成されるセンサ駆動電極のうち、前記端部第１電極を含む第１センサ駆動電極の幅は、当該端部第１電極を含まない第２センサ駆動電極の幅より小さく、
各々の前記第１電極の幅は、同一であり、
前記第１センサ駆動電極は、前記端部第１電極を含む互いに隣り合うｉ個の第１電極で形成され、
前記第２センサ駆動電極は、互いに隣り合うｊ個の第１電極で形成され、
前記ｉは自然数であり、
前記ｊは前記ｉを超える自然数である、
センサ付き表示装置。
【請求項２】
前記表示領域に配置されて前記複数の第１電極に対向する複数の画素電極と、
前記複数の第１電極と前記複数の画素電極に与えられた電位に応じて動作する表示機能層と、をさらに備えた、
請求項１に記載のセンサ付き表示装置。
【請求項３】
制御部をさらに備え、
前記制御部は、
前記検出電極を用いてセンシングを行うセンシング駆動期間に、前記センサ駆動電極に前記センサ駆動信号を供給し、前記検出電極のセンサ出力値を検出し、
前記画素電極を用いて画像を表示する表示駆動期間に、前記複数の第１電極に対してコモン駆動信号を供給し、前記画素電極に対して画像信号を供給する、
請求項２に記載のセンサ付き表示装置。
【請求項４】
前記表示領域の端部に配置され前記第２方向に延在し前記端部第１電極に前記第１方向に間隔をおいて隣合う第２電極と、
前記検出電極を用いてセンシングを行うセンシング駆動期間に前記第２電極の電位を前記センサ駆動電極の電位と異なる値に維持する制御部と、をさらに備える、
請求項１に記載のセンサ付き表示装置。
【請求項５】
前記第２電極の幅は、各々の前記第１電極の幅より小さい、
請求項４に記載のセンサ付き表示装置。
【請求項６】
前記制御部は、前記センシング駆動期間に前記第２電極を接地電位に維持する、
請求項４に記載のセンサ付き表示装置。
【請求項７】
前記制御部は、前記センシング駆動期間に前記第２電極を電気的にフローティング状態に切り替える、
請求項４に記載のセンサ付き表示装置。
【請求項８】
前記表示領域に配置されて前記複数の第１電極又は前記第２電極に対向する複数の画素電極と、
前記複数の第１電極又は前記第２電極と画素電極間に発生する電界に応じて動作する表示機能層と、をさらに備えた、
請求項４に記載のセンサ付き表示装置。
【請求項９】
前記制御部は、
前記センシング駆動期間に、前記センサ駆動電極に前記センサ駆動信号を供給し、前記検出電極のセンサ出力値を検出し、
前記画素電極を用いて画像を表示する表示駆動期間に、前記複数の第１電極及び前記第２電極に対してコモン駆動信号を供給し、前記画素電極に対して画像信号を供給する、
請求項８に記載のセンサ付き表示装置。
【請求項１０】
前記検出電極の本体部は、前記第１方向に延在し、
前記本体部の幅は、前記表示領域内の全域において均一である、
請求項１に記載のセンサ付き表示装置。
【請求項１１】
制御部をさらに備え、
前記制御部は、
前記検出電極を用いてセンシングを行うセンシング駆動期間における第１センシング駆動期間に、前記第１センサ駆動電極に前記センサ駆動信号を供給し、前記検出電極のセンサ出力値を検出し、
前記センシング駆動期間において前記第１センシング駆動期間に続く第２センシング駆動期間に、前記第２センサ駆動電極に前記センサ駆動信号を供給し、前記検出電極のセンサ出力値を検出し、
前記第２センサ駆動電極は、前記第１センサ駆動電極から前記第１方向にずれた位置に形成され、
前記第２センサ駆動電極を形成する前記ｊ個の第１電極は、前記第１センサ駆動電極を形成する前記ｉ個の第１電極から１個以上入れ替わっている、
請求項１に記載のセンサ付き表示装置。
【請求項１２】
前記第２センサ駆動電極を形成する前記ｊ個の第１電極は、前記第１センサ駆動電極を形成する前記ｉ個の第１電極と１個以上重複している、
請求項１１に記載のセンサ付き表示装置。
【請求項１３】
前記複数のセンサ駆動電極は、前記第２センサ駆動電極から前記第１方向にずれた位置にて前記第１方向に隣合う前記ｊ個の第１電極で形成された第３センサ駆動電極をさらに含み、
前記第３センサ駆動電極を形成する前記ｊ個の第１電極は、前記第２センサ駆動電極を形成する前記ｊ個の第１電極に対して、１個以上入れ替わり、１個以上重複している、
請求項１２に記載のセンサ付き表示装置。
【請求項１４】
表示領域に配置され第１方向に間隔をおいて並べられ前記第１方向に交差する第２方向にそれぞれ延在した複数の第１電極と、
前記複数の第１電極と対向した本体部と、前記複数の第１電極のうち第１方向における端部に位置する端部第１電極と対向し前記本体部に接続され前記本体部よりも幅広である拡幅部と、を有する検出電極と、を備え、
前記複数の第１電極は、それぞれ個別に順次センサ駆動信号が供給されることで複数のセンサ駆動電極を構成し、或いは、互いに隣り合う複数の第１電極に同時にセンサ駆動信号が供給されることで当該互いに隣り合う複数の第１電極を束にした複数のセンサ駆動電極を構成するものであって、
前記センサ駆動信号の供給に伴い構成されるセンサ駆動電極のうち、前記端部第１電極を含む第１センサ駆動電極の幅は、当該端部第１電極を含まない第２センサ駆動電極の幅より小さく、
最も外側に位置する端の第１電極を含む第１センサ駆動電極と前記検出電極とが対向する第１面積と、当該端の第１電極を含まない第２センサ駆動電極と前記検出電極とが対向する第２面積とは、同一である、
センサ付き表示装置。
【請求項１５】
第１方向に間隔をおいて並べられ前記第１方向に交差する第２方向にそれぞれ延在した複数の第１電極と、
前記複数の第１電極と対向した本体部と、前記複数の第１電極のうち第１方向における端部に位置する端部第１電極と対向し前記本体部に接続され前記本体部よりも幅広である拡幅部と、を有する検出電極と、を備え、
前記複数の第１電極は、それぞれ個別に順次センサ駆動信号が供給されることで複数のセンサ駆動電極を構成し、或いは、互いに隣り合う複数の第１電極に同時に前記センサ駆動信号が供給されることで当該互いに隣り合う複数の第１電極を束にした複数のセンサ駆動電極を構成するものであって、
前記センサ駆動信号の供給に伴い構成されるセンサ駆動電極のうち、前記端部第１電極を含む第１センサ駆動電極の幅は、当該端部第１電極を含まない第２センサ駆動電極の幅より小さく、
各々の前記第１電極の幅は、同一であり、
前記第１センサ駆動電極は、前記端部第１電極を含む互いに隣り合うｉ個の第１電極で形成され、
前記第２センサ駆動電極は、互いに隣り合うｊ個の第１電極で形成され、
前記ｉは自然数であり、
前記ｊは前記ｉを超える自然数である、
センサ装置。
【請求項１６】
前記複数の第１電極より外側に配置され前記第２方向に延在し前記端部第１電極に前記第１方向に間隔をおいて隣合う第２電極と、
前記検出電極を用いてセンシングを行うセンシング駆動期間に前記第２電極の電位を前記センサ駆動電極の電位と異なる値に維持する制御部と、をさらに備える、
請求項１５に記載のセンサ装置。
【請求項１７】
第１方向に間隔をおいて並べられ前記第１方向に交差する第２方向にそれぞれ延在した複数の第１電極と、
前記複数の第１電極と対向した本体部と、前記複数の第１電極のうち第１方向における端部に位置する端部第１電極と対向し前記本体部に接続され前記本体部よりも幅広である拡幅部と、を有する検出電極と、を備え、
前記複数の第１電極は、それぞれ個別に順次センサ駆動信号が供給されることで複数のセンサ駆動電極を構成し、或いは、互いに隣り合う複数の第１電極に同時に前記センサ駆動信号が供給されることで当該互いに隣り合う複数の第１電極を束にした複数のセンサ駆動電極を構成するものであって、
前記センサ駆動信号の供給に伴い構成されるセンサ駆動電極のうち、前記端部第１電極を含む第１センサ駆動電極の幅は、当該端部第１電極を含まない第２センサ駆動電極の幅より小さく、
最も外側に位置する端の第１電極を含む第１センサ駆動電極と前記検出電極とが対向する第１面積と、当該端の第１電極を含まない第２センサ駆動電極と前記検出電極とが対向する第２面積とは、同一である、
センサ装置。
【発明の詳細な説明】
【技術分野】
【０００１】
本発明の実施形態は、センサ付き表示装置及びセンサ装置に関する。
【背景技術】
【０００２】
近年のセンサ付き表示装置の一例として、静電容量の変化に基づいて物体の接触あるいは接近を検出する静電容量型センサがある。このようなセンサを構成する検出電極及びセンサ駆動電極は、画像を表示する表示領域に配置され、誘電体を介して対向している。検出電極は、表示領域の外側に位置するリード線と電気的に接続されている。
【０００３】
表示領域が拡大する一方で表示装置の小型化への要求が高まっており、表示領域よりも外側の周辺は狭額縁化する傾向にある。このため、センサ駆動電極とリード線とが接近して配置されることがある。この場合、センサ駆動電極とリード線との間の容量結合によって、リード線がセンサの如く機能してしまうことが考えられる。
【先行技術文献】
【特許文献】
【０００４】
【特許文献１】特開２０１２−２０８７４９号公報
【発明の概要】
【発明が解決しようとする課題】
【０００５】
本実施形態は、入力位置情報を正確に検出することのできるセンサ付き表示装置及びセンサ装置を提供する。
【課題を解決するための手段】
【０００６】
一実施形態に係るセンサ付き表示装置は、
表示領域に配置され第１方向に間隔をおいて並べられ前記第１方向に交差する第２方向にそれぞれ延在した複数の第１電極と、前記複数の第１電極と対向した本体部と、前記複数の第１電極のうち第１方向における端部に位置する端部第１電極と対向し前記本体部に接続され前記本体部よりも幅広である拡幅部と、を有する検出電極と、を備え、前記複数の第１電極は、それぞれ個別に順次センサ駆動信号が供給されることで複数のセンサ駆動電極を構成し、或いは、互いに隣り合う複数の第１電極に同時にセンサ駆動信号が供給されることで当該互いに隣り合う複数の第１電極を束にした複数のセンサ駆動電極を構成するものであって、前記センサ駆動信号の供給に伴い構成されるセンサ駆動電極のうち、前記端部第１電極を含む第１センサ駆動電極の幅は、当該端部第１電極を含まない第２センサ駆動電極の幅より小さく、各々の前記第１電極の幅は、同一であり、前記第１センサ駆動電極は、前記端部第１電極を含む互いに隣り合うｉ個の第１電極で形成され、前記第２センサ駆動電極は、互いに隣り合うｊ個の第１電極で形成され、前記ｉは自然数であり、前記ｊは前記ｉを超える自然数である。
【０００８】
また、一実施形態に係るセンサ装置は、
第１方向に間隔をおいて並べられ前記第１方向に交差する第２方向にそれぞれ延在した複数の第１電極と、前記複数の第１電極と対向した本体部と、前記複数の第１電極のうち第１方向における端部に位置する端部第１電極と対向し前記本体部に接続され前記本体部よりも幅広である拡幅部と、を有する検出電極と、を備え、前記複数の第１電極は、それぞれ個別に順次センサ駆動信号が供給されることで複数のセンサ駆動電極を構成し、或いは、互いに隣り合う複数の第１電極に同時に前記センサ駆動信号が供給されることで当該互いに隣り合う複数の第１電極を束にした複数のセンサ駆動電極を構成するものであって、前記センサ駆動信号の供給に伴い構成されるセンサ駆動電極のうち、前記端部第１電極を含む第１センサ駆動電極の幅は、当該端部第１電極を含まない第２センサ駆動電極の幅より小さく、各々の前記第１電極の幅は、同一であり、前記第１センサ駆動電極は、前記端部第１電極を含む互いに隣り合うｉ個の第１電極で形成され、前記第２センサ駆動電極は、互いに隣り合うｊ個の第１電極で形成され、前記ｉは自然数であり、前記ｊは前記ｉを超える自然数である。
【図面の簡単な説明】
【００１０】
【図１】図１は、第１の実施形態に係るセンサ付き液晶表示装置の構成を示す斜視図である。
【図２】図２は、図１に示した液晶表示装置の基本構成及び等価回路を示す図である。
【図３】図３は、図２に示した画素を示す等価回路図である。
【図４】図４は、液晶表示装置の一部の構造を概略的に示す断面図である。
【図５】図５は、上記第１の実施形態におけるセンサの構成を示す平面図である。
【図６】図６は、上記センサの一部を拡大して示す平面図である。
【図７】図７は、上記センサの一部を拡大して示す他の平面図である。
【図８】図８は、上記第１の実施形態の各々のセンサ駆動電極におけるセンサ駆動電極と検出電極との間の容量の値を折れ線グラフで示す図である。
【図９】図９は、上記センサの一部を含む表示パネルの構造を示す断面図である。
【図１０】図１０は、センシング方法の一例の原理を説明するための図である。
【図１１】図１１は、上記第１の実施形態の比較例に係るセンサ付き液晶表示装置のセンサの一部を拡大して示す平面図である。
【図１２】図１２は、上記比較例の各々のセンサ駆動電極におけるセンサ駆動電極と検出電極との間の容量の値を折れ線グラフで示す図である。
【図１３】図１３は、第２の実施形態に係るセンサ付き液晶表示装置のセンサの一部を拡大して示す平面図である。
【図１４】図１４は、上記第２の実施形態に係る第１電極とセンサ駆動電極との関係を表で示す図である。
【図１５】図１５は、上記第２の実施形態に係るセンサ付き液晶表示装置の駆動方法を説明するためのタイミングチャートであり、Ｆ番目の１フレーム期間のうちの第１期間における、映像信号、コモン駆動信号、及び書込み信号を示す図である。
【図１６】図１６は、上記第２の実施形態に係るセンサの駆動方法を例示的に説明するための図であり、センサの一部を示す平面図である。
【図１７】図１７は、図１６に続く、上記第２の実施形態に係るセンサの駆動方法を例示的に説明するための図であり、センサの一部を示す平面図である。
【図１８】図１８は、図１７に続く、上記第２の実施形態に係るセンサの駆動方法を例示的に説明するための図であり、センサの一部を示す平面図である。
【図１９】図１９は、図１８に続く、上記第２の実施形態に係るセンサの駆動方法を例示的に説明するための図であり、センサの一部を示す平面図である。
【図２０】図２０は、第３の実施形態に係るセンサ付き液晶表示装置のセンサの構成を示す平面図である。
【図２１】図２１は、第４の実施形態に係るセンサ付き液晶表示装置のセンサの構成を示す平面図である。
【図２２】図２２は、上記第４の実施形態の各々のセンサ駆動電極におけるセンサ駆動電極と検出電極との間の容量の値を折れ線グラフで示す図である。
【図２３】図２３は、第５の実施形態に係るセンサ付き液晶表示装置のセンサの構成を示す平面図である。
【図２４】図２４は、上記第５の実施形態に係る第１電極と第２電極とセンサ駆動電極との関係を表で示す図である。
【図２５】図２５は、上記第１の実施形態の変形例１に係るセンサ付き液晶表示装置の構成を示す平面図である。
【図２６】図２６は、上記第１の実施形態の変形例２に係るセンサ付き液晶表示装置の構成を示す斜視図である。
【発明を実施するための形態】
【００１１】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１２】
始めに、本発明の実施形態の基本構想について説明する。  
センサ付き表示装置は、入力手段を用いて表示面側から入力されるデータを検出するように構成されている。ここで、上記センサは静電容量型センサであり、センサ駆動電極と、センサ駆動電極に対向配置された検出電極と、検出電極に接続されたリード線と、を有している。入力手段としては、導体、又は指などの導電性を有する物体を利用することができる。これにより、表示装置は、表示装置の入力面に指などが接触又は接近した個所の位置情報を検出することができる。
【００１３】
また、表示装置において、画像を表示する表示領域が拡大する一方で、当該表示領域の周囲の額縁領域（非表示領域）を可及的に狭くすることへの要求が高まっている。このため、表示装置において、額縁領域の面積は縮小する傾向にある。そこで、かかる額縁領域に設けられるリード線をセンサ駆動電極に接近させて配置することが考えられる。
【００１４】
ところで、センサ駆動電極とリード線とが接近すると、センサ駆動電極とリード線との間に容量結合（寄生容量）が生じてしまう。そして、センサ駆動電極とリード線とが接近するほど、上記寄生容量は大きくなってしまう。すると、例えば、表示領域の最外周付近において、表示装置の入力面に導体が接触あるいは接近した場合に、センサ駆動電極とリード線との間の寄生容量が変化し、リード線にノイズが生じてしまう。言い換えると、リード線には、本来検出信号として伝送されるべき検出電極に生じる静電容量の変化（静電容量結合の強弱）を示す読取信号のみならず、上記寄生容量によってリード線に生じるノイズ信号も伝送されるものとなり、当該ノイズ信号が大きくなると、結果としてこれらの信号の振幅との比（Ｓ／Ｎ比）の低下を招いてしまう。
【００１５】
そこで、各々の検出電極は、センサ駆動電極と対向する本体部と、センサ駆動電極と対向し本体部よりも幅広の拡幅部と、を備えている。拡幅部の少なくとも一部は、表示領域の周縁部に配置されている。拡幅部は、本体部の間の隙間を通じて、センサ駆動電極とリード線との間に容量を形成し難くすることができる。これにより、リード線にノイズが生じ難くなり、上記Ｓ／Ｎ比の低下を抑制することができる。さらに、拡幅部の少なくとも一部が表示領域に配置されることにより、額縁領域の面積の縮小に寄与することができる。
【００１６】
しかしながら、拡幅部は、平面視で、表示領域に位置するセンサ駆動電極と重なっている。センサ駆動電極と検出電極とが対向する複数の領域において、センサ駆動電極に本体部のみが対向する領域より、センサ駆動電極に本体部及び拡幅部の両方が対向する領域の方が、面積が大きくなり、容量が大きくなる。このため、センシングに際しては、表示領域の全域にわたり、センサ駆動電極と検出電極との間で一定の容量を得ることは困難となる。  
上記のように、センサ駆動電極と検出電極との間に形成される容量にばらつきが生じると、表示装置の入力面に導体が接触あるいは接近した場合に、検出電極に生じる容量の変化が相対的に小さく検出される恐れがある。
【００１７】
本発明の実施形態においては、かかる問題を解決することにより、入力位置情報を正確に検出することのできるセンサ付き表示装置及びセンサ装置を得ることができるものである。又は、センサの誤検出を抑制することのできるセンサ付き表示装置及びセンサ装置を得ることができるものである。次に、上記課題を解決するための手段及び手法について説明する。
【００１８】
（第１の実施形態）  
まず、第１の実施形態に係るセンサ付き表示装置について説明する。表示装置は、例えば、スマートフォン、タブレット端末、携帯電話端末、パーソナルコンピュータ、テレビ受像装置、車載装置、ゲーム機器等の種々の装置に用いることができる。本実施形態においては、センサ付き表示装置の一例として、液晶表示装置を開示する。図１は、本実施形態に係るセンサ付き液晶表示装置の構成を示す斜視図である。  
なお、本実施形態にて開示する主要な構成は、有機エレクトロルミネッセンス表示素子等を有する自発光型の表示装置、電気泳動素子等を有する電子ペーパ型の表示装置、ＭＥＭＳ（Micro Electro Mechanical Systems）を応用した表示装置、或いはエレクトロクロミズムを応用した表示装置などにも適用可能である。
【００１９】
図１に示すように、液晶表示装置ＤＳＰは、アクティブマトリクス型の表示パネルＰＮＬ、表示パネルＰＮＬを駆動する駆動ＩＣチップＩＣ１、静電容量型のセンサＳＥ、センサＳＥを駆動する駆動ＩＣチップＩＣ２、表示パネルＰＮＬを照明するバックライトユニットＢＬ、制御モジュールＣＭ、フレキシブル配線基板ＦＰＣ１、ＦＰＣ２、ＦＰＣ３などを備えている。本実施形態において、表示パネルＰＮＬは液晶表示パネルである。
【００２０】
表示パネルＰＮＬは、平板状の第１基板ＳＵＢ１と、第１基板ＳＵＢ１に対向配置された平板状の第２基板ＳＵＢ２と、第１基板ＳＵＢ１と第２基板ＳＵＢ２との間に保持された液晶層（後述する液晶層ＬＣ）と、を備えている。表示パネルＰＮＬは、画像を表示する表示領域ＤＡを備えている。図示した例では、表示パネルＰＮＬは、バックライトユニットＢＬからの光を選択的に透過させることで画像を表示する透過表示機能を備えた透過型である。なお、表示パネルＰＮＬは、第２基板ＳＵＢ２側から入射した外光や補助光を選択的に反射させることで画像を表示する反射表示機能を備えた反射型の表示パネルであってもよい。また、表示パネルＰＮＬは、透過表示機能及び反射表示機能を備えた半透過型の表示パネルであってもよい。
【００２１】
センサＳＥは、複数の検出電極Ｒｘを備えている。これらの検出電極Ｒｘは、例えば表示パネルＰＮＬの表示面上つまり第２基板ＳＵＢ２の外面に設けられている。ここでは、検出電極Ｒｘは、概略的に図示されている。図示した例では、各検出電極Ｒｘは、概ね第１方向Ｘに延出し、第２方向Ｙに並んでいる。なお、各検出電極Ｒｘは、第２方向Ｙに延出し第１方向Ｘに並んでいてもよい。ここでは、第１方向Ｘ及び第２方向Ｙは、互いに直交している。なお、第１方向Ｘ及び第２方向Ｙは、９０°以外の角度で交差していてもよい。第３方向Ｚは、第１方向Ｘ及び第２方向Ｙのそれぞれと互いに直交している。
【００２２】
駆動ＩＣチップＩＣ１は、表示パネルＰＮＬの第１基板ＳＵＢ１上に搭載されている。フレキシブル配線基板ＦＰＣ１は、表示パネルＰＮＬと制御モジュールＣＭとを接続している。フレキシブル配線基板ＦＰＣ２は、センサＳＥの検出電極Ｒｘと制御モジュールＣＭとを接続している。駆動ＩＣチップＩＣ２は、フレキシブル配線基板ＦＰＣ２上に搭載されている。なお、駆動ＩＣチップＩＣ２は、第１基板ＳＵＢ１上に搭載されてもよいし、制御モジュールＣＭに搭載されても良い。フレキシブル配線基板ＦＰＣ３は、バックライトユニットＢＬと制御モジュールＣＭとを接続している。
【００２３】
駆動ＩＣチップＩＣ１及び駆動ＩＣチップＩＣ２は、フレキシブル配線基板ＦＰＣ２等を介して接続されている。例えば、フレキシブル配線基板ＦＰＣ２が第１基板ＳＵＢ１に接続された分岐部ＦＰＣＢを有している場合、駆動ＩＣチップＩＣ１及び駆動ＩＣチップＩＣ２は、上記分岐部ＦＰＣＢに含まれる配線及び第１基板ＳＵＢ１上の配線を介して接続されていてもよい。また、駆動ＩＣチップＩＣ１及び駆動ＩＣチップＩＣ２は、フレキシブル配線基板ＦＰＣ１及びフレキシブル配線基板ＦＰＣ２のそれぞれに含まれる配線を介して接続されていてもよい。駆動ＩＣチップＩＣ１及び駆動ＩＣチップＩＣ２は、いずれか一方の駆動ＩＣチップでセンサＳＥの駆動時期を知らせるタイミング信号を生成し、このタイミング信号を他方の駆動ＩＣチップに与えることができる。駆動ＩＣチップＩＣ１及び駆動ＩＣチップＩＣ２は、いずれか一方の駆動ＩＣチップで後述する共通電極ＣＥの駆動時期を知らせるタイミング信号を生成し、このタイミング信号を他方の駆動ＩＣチップに与えることができる。又は、制御モジュールＣＭは、駆動ＩＣチップＩＣ１及びＩＣ２にタイミング信号を与えることができる。上記タイミング信号により、駆動ＩＣチップＩＣ１の駆動と、駆動ＩＣチップＩＣ２の駆動との同期化を図ることができる。
【００２４】
図２は、図１に示した液晶表示装置ＤＳＰの基本構成及び等価回路を示す図である。  
図２に示すように、液晶表示装置ＤＳＰは、表示パネルＰＮＬなどに加えて、表示領域ＤＡの外側の非表示領域ＮＤＡにおいて、ソース線駆動回路ＳＤ、ゲート線駆動回路ＧＤ、共通電極駆動回路ＣＤなどを備えている。一例では、ソース線駆動回路ＳＤ及び共通電極駆動回路ＣＤの少なくとも一部は、駆動ＩＣチップＩＣ１に内蔵されている。なお、非表示領域ＮＤＡは、表示領域ＤＡを囲む額縁状の形状を有している。
【００２５】
表示パネルＰＮＬは、表示領域ＤＡにおいて、複数の画素ＰＸを備えている。複数の画素ＰＸは、第１方向Ｘ及び第２方向Ｙにマトリクス状に設けられ、ｍ×ｎ個配置されている（但し、ｍ及びｎは正の整数である）。第１方向Ｘに並んだ複数の画素ＰＸは画素行を構成し、第２方向Ｙに並んだ複数の画素ＰＸは画素列を構成する。また、表示パネルＰＮＬは、表示領域ＤＡにおいて、ｎ本のゲート線Ｇ（Ｇ１〜Ｇｎ）、ｍ本のソース線Ｓ（Ｓ１〜Ｓｍ）、共通電極ＣＥなどを備えている。
【００２６】
ゲート線Ｇは、第１方向Ｘに延出し、表示領域ＤＡの外側に引き出され、ゲート線駆動回路ＧＤに接続されている。また、ゲート線Ｇは、第２方向Ｙに間隔を置いて配列されている。ソース線Ｓは、第２方向Ｙに延出し、表示領域ＤＡの外側に引き出され、ソース線駆動回路ＳＤに接続されている。また、ソース線Ｓは、第１方向Ｘに間隔を置いて配列され、ゲート線Ｇと交差している。なお、ゲート線Ｇ及びソース線Ｓは、必ずしも直線的に延出していなくても良く、それらの一部が屈曲していてもよい。共通電極ＣＥは、共通電極駆動回路ＣＤに接続されている。この共通電極ＣＥは、複数の画素ＰＸで共用されている。共通電極ＣＥの詳細については後述する。
【００２７】
図３は、図２に示した画素ＰＸを示す等価回路図である。  
図３に示すように、各画素ＰＸは、スイッチング素子ＰＳＷ、画素電極ＰＥ、共通電極ＣＥ、液晶層ＬＣ等を備えている。スイッチング素子ＰＳＷは、例えば薄膜トランジスタによって構成されている。スイッチング素子ＰＳＷは、ゲート線Ｇ及びソース線Ｓと電気的に接続されている。スイッチング素子ＰＳＷは、トップゲート型あるいはボトムゲート型のいずれであってもよい。また、スイッチング素子ＰＳＷの半導体層は、例えば、ポリシリコンによって形成されているが、アモルファスシリコンや酸化物半導体などによって形成されていてもよい。画素電極ＰＥは、スイッチング素子ＰＳＷに電気的に接続されている。画素電極ＰＥは、共通電極ＣＥと対向している。保持容量ＣＳは、例えば、共通電極ＣＥと画素電極ＰＥとの間に形成される。
【００２８】
図４は、液晶表示装置ＤＳＰの一部の構造を示す断面図である。  
図４に示すように、本実施形態において、表示パネルＰＮＬは、基板主面の法線に沿った縦電界を利用する表示モード、あるいは、基板主面の法線に対して斜め方向に傾斜した傾斜電界を利用する表示モード、あるいは、基板主面に沿った横電界を利用する表示モードのいずれに対応した構成を有していても良い。また、表示パネルＰＮＬは、上記の縦電界、横電界、及び、傾斜電界を適宜組み合わせて利用する表示モードに対応した構成を有していても良い。なお、基板主面とは、互いに直交する第１方向Ｘ及び第２方向Ｙで規定されるＸ−Ｙ平面と平行な面である。縦電界あるいは傾斜電界を利用する表示モードでは、例えば、画素電極ＰＥが第１基板ＳＵＢ１に備えられる一方で、共通電極ＣＥが第２基板ＳＵＢ２に備えられる。横電界を利用する表示モードでは、画素電極ＰＥ及び共通電極ＣＥの双方が第１基板ＳＵＢ１に備えられている。
【００２９】
図示した例では、表示パネルＰＮＬは、横電界を利用する表示モードに対応した構成を有している。表示パネルＰＮＬにおいて、第２基板ＳＵＢ２は、第１基板ＳＵＢ１に所定の隙間を置いて対向配置されている。液晶層ＬＣは、第１基板ＳＵＢ１と第２基板ＳＵＢ２との隙間に位置している。
【００３０】
第１基板ＳＵＢ１は、ガラス基板や樹脂基板などの光透過性を有する第１絶縁基板１０を備えている。第１基板ＳＵＢ１は、第１絶縁基板１０の上方、つまり第２基板ＳＵＢ２と対向する側に、ゲート線、スイッチング素子、ソース線Ｓ、共通電極ＣＥ、画素電極ＰＥ、第１絶縁膜１１、第２絶縁膜１２、第３絶縁膜１３、第１配向膜ＡＬ１などを備えている。
【００３１】
各画素電極ＰＥは、隣り合うソース線Ｓの間にそれぞれ位置し、絶縁膜を介して共通電極ＣＥと対向している。また、各画素電極ＰＥは、共通電極ＣＥと対向する位置にスリットＳＬを有している。このような共通電極ＣＥ及び画素電極ＰＥは、例えば、ＩＴＯやＩＺＯなどの透明な導電材料によって形成されている。第１配向膜ＡＬ１は、画素電極ＰＥ及び第３絶縁膜１３の上に形成され、画素電極ＰＥ及び第３絶縁膜１３を覆っている。
【００３２】
このように、共通電極ＣＥは、ゲート線Ｇやソース線Ｓ、或いは画素電極ＰＥとは異なる層に位置している。このため、共通電極ＣＥは、Ｘ−Ｙ平面において、ゲート線Ｇやソース線Ｓ、或いは画素電極ＰＥと平面視で交差する位置関係で配置することが可能となる。すなわち、共通電極ＣＥは、隣り合う画素ＰＸにわたって配置可能となる。本実施形態では、共通電極ＣＥは、帯状に形成され、第２方向Ｙに延在し、複数列の画素列と対向可能な幅を有している。
【００３３】
第２基板ＳＵＢ２は、ガラス基板や樹脂基板などの光透過性を有する第２絶縁基板２０を備えている。第２基板ＳＵＢ２は、第２絶縁基板２０の下方、つまり第１基板ＳＵＢ１と対向する側に、遮光層ＢＭ、赤、緑、青に対応するカラーフィルタＣＦＲ、ＣＦＧ、ＣＦＢ、オーバーコート層ＯＣ、第２配向膜ＡＬ２などを備えている。遮光層ＢＭは、第２絶縁基板２０の内面に位置し、各画素を区画している。カラーフィルタＣＦＲ、ＣＦＧ、ＣＦＢは、それぞれ第２絶縁基板２０の内面に位置し、それらの一部が遮光層ＢＭに重なっている。
【００３４】
図示した例は、カラー画像を構成する最小単位である単位画素が赤色画素、緑色画素、及び、青色画素の３個の色画素によって構成された場合に相当する。但し、単位画素は、上記の３個の色画素の組み合わせによるものに限らない。例えば、単位画素は、赤色画素、緑色画素、青色画素に加えて、白色画素の４個の色画素によって構成されてもよい。この場合、白色あるいは透明のカラーフィルタが白色画素に配置されてもよいし、白色画素のカラーフィルタそのものを省略してもよい。オーバーコート層ＯＣは、カラーフィルタＣＦＲ、ＣＦＧ、ＣＦＢを覆っている。オーバーコート層ＯＣは、透明な樹脂材料によって形成されている。第２配向膜ＡＬ２は、オーバーコート層ＯＣを覆っている。
【００３５】
液晶層ＬＣは、共通電極ＣＥと画素電極ＰＥとの間に発生する電界に応じて動作する表示機能層として機能する。第１絶縁基板１０及び第２絶縁基板２０である一対の基板間に、共通電極ＣＥ、複数の画素電極ＰＥ、液晶層ＬＣなどが位置している。
【００３６】
検出電極Ｒｘは、第２絶縁基板２０の外面ＥＳ側に位置している。図示した例では、検出電極Ｒｘは、第２絶縁基板２０の外面ＥＳに接しているが、外面ＥＳとの間に絶縁部材が介在していてもよい。検出電極Ｒｘの詳細な構造については後述する。また、ここでは、簡略化して図示しており、後述するリード線Ｌ等の図示を省略している。このような検出電極Ｒｘは、例えば、後述するアルミニウムなどの金属材料によって形成されている。検出電極Ｒｘの電気抵抗値を低くすることにより、検出に要する時間を短縮することができる。このため、金属製の検出電極Ｒｘを適用することは、表示パネルＰＮＬの大型化及び高精細化に対して有利になる。
【００３７】
なお、検出電極Ｒｘは、ＩＴＯやＩＺＯなどの透明な導電材料（例えば、帯状の導電層）と、金属材料（例えば、微細な金属線）との組合せ（集合体）によって構成されていてもよい。各検出電極Ｒｘは、第３絶縁膜１３、第１配向膜ＡＬ１、液晶層ＬＣ、第２配向膜ＡＬ２、オーバーコート層ＯＣ、カラーフィルタＣＦＲ、ＣＦＧ、ＣＦＢ、第２絶縁基板２０といった誘電体を介して共通電極ＣＥと対向している。
【００３８】
第１光学素子ＯＤ１は、第１絶縁基板１０とバックライトユニットＢＬとの間に配置されている。第２光学素子ＯＤ２は、検出電極Ｒｘの上方に配置されている。第１光学素子ＯＤ１及び第２光学素子ＯＤ２は、それぞれ少なくとも偏光板を含んでおり、必要に応じて位相差板を含んでいてもよい。第１光学素子ＯＤ１に含まれる偏光板及び第２光学素子ＯＤ２に含まれる偏光板は、例えば、それぞれの吸収軸が直交するクロスニコルの位置関係となるように配置されている。  
また、第２光学素子は、検出電極と対向して表示領域を覆う導電層を備えている。
【００３９】
次に、本実施形態に係る液晶表示装置ＤＳＰに搭載されるセンサＳＥについて説明する。図５は、本実施形態におけるセンサＳＥの構成を示す平面図である。  
図５に示すように、本実施形態では、センサＳＥは、第１基板ＳＵＢ１の共通電極ＣＥ及び第２基板ＳＵＢ２の複数の検出電極Ｒｘを備えている。つまり、共通電極ＣＥは、画素電極ＰＥとの間で電界を発生させることにより表示用の電極として機能する。また、共通電極ＣＥは、検出電極Ｒｘとの間で容量を発生させることでセンサ駆動電極として機能する。
【００４０】
共通電極ＣＥは、表示領域ＤＡに配置されている。図示した例では、共通電極ＣＥは、複数の第１電極Ｃａを備えている。第１電極Ｃａは、表示領域ＤＡにおいて、それぞれ第１方向Ｘに間隔を置いて並んでいる。第１電極Ｃａの各々は、帯状の形状を有し、第２方向Ｙに略直線的に延出している。
【００４１】
これら複数の第１電極Ｃａは、制御部から、それぞれ個別に順次センサ駆動信号が供給されることで複数のセンサ駆動電極Ｔｘを構成する。センサＳＥは、複数のセンサ駆動電極Ｔｘ及び複数の検出電極Ｒｘを備えている。本実施形態の複数のセンサ駆動電極Ｔｘは、第１センサ駆動電極Ｔｘ１から第ｈセンサ駆動電極Ｔｘｈまでのｈ個のセンサ駆動電極Ｔｘ１，Ｔｘ２，…Ｔｘｈである。  
共通電極ＣＥは、ｋ個の第１電極Ｃａ（Ｃａ１，Ｃａ１，…Ｃａｋ）を備えている。上記「ｈ」及び上記「ｋ」は、２以上の自然数である。本実施形態において、各々のセンサ駆動電極Ｔｘは、対応する１個の第１電極Ｃａで構成されている（ｈ＝ｋ）。
【００４２】
検出電極Ｒｘは、拡幅部ＲＳＬ及び本体部ＲＲを備えている。拡幅部ＲＳＬは、第２方向Ｙに並んでいる。拡幅部ＲＳＬの少なくとも一部は、表示領域ＤＡに配置されている。本実施形態において、拡幅部ＲＳＬの全体が表示領域ＤＡに配置されている。検出電極Ｒｘは、２個の拡幅部ＲＳＬを有し、本体部ＲＲは、第１方向Ｘに２個の拡幅部ＲＳＬに挟まれている。本体部ＲＲは、表示領域ＤＡに配置され、第２方向Ｙに並んでいる。本体部ＲＲの各々は、第１方向Ｘに略直線的に延出している。つまり、本体部ＲＲは、第１電極Ｃａと交差する方向に延出している。なお、本体部ＲＲは、巨視的に見ると、図示したような帯状を呈しているが、厳密には後述するように微細な金属線の集合体によって構成されている。また、拡幅部ＲＳＬについても、巨視的には図示したような四角形状を呈しているが、厳密には後述するような微細な金属線の集合体、または、帯状の金属膜などによって構成されている。
【００４３】
ここで、非表示領域ＮＤＡのうち、第２基板ＳＵＢ２の右側の領域であり第２方向Ｙに延在した帯状の領域を第１領域Ａ１、第２基板ＳＵＢ２の左側の領域であり第２方向Ｙに延在した帯状の領域を第２領域Ａ２、第２基板ＳＵＢ２の下側の領域であり第１方向Ｘに延在した帯状の領域を第３領域Ａ３、第２基板ＳＵＢ２の上側の領域であり第１方向Ｘに延在した帯状の領域を第４領域Ａ４とする。
【００４４】
第２方向Ｙに並んだ拡幅部ＲＳＬは、後に詳述する拡幅部群ＳＲを構成している。図示した例では、拡幅部ＲＳＬは、第１領域Ａ１及び第２領域Ａ２に沿った表示領域ＤＡの左右端部にそれぞれ配置されている。なお、ここでは簡略化して図示しているが、隣り合う拡幅部ＲＳＬの間の隙間は微小であり、拡幅部ＲＳＬの各々は、後述する電界の漏れを抑制できる構成を有している。
【００４５】
表示パネルＰＮＬは、上記の共通電極ＣＥ及び検出電極Ｒｘに加えて、さらにリード線Ｌを備えている。リード線Ｌは、第２基板ＳＵＢ２において、非表示領域ＮＤＡに配置され、検出電極Ｒｘと同一面に位置している。リード線Ｌの各々は、検出電極Ｒｘの拡幅部ＲＳＬと一対一で電気的に接続されている。リード線Ｌの各々は、検出電極Ｒｘからのセンサ出力値を出力する。
【００４６】
図示した例では、リード線Ｌは、第２基板ＳＵＢ２の第１領域Ａ１、又は第２領域Ａ２及び第３領域Ａ３に配置されている。例えば、第２方向Ｙに並んだ検出電極Ｒｘのうち、奇数番目の検出電極Ｒｘに接続されたリード線Ｌは第２領域Ａ２及び第３領域Ａ３に配置され、また、偶数番目の検出電極Ｒｘに接続されたリード線Ｌは第１領域Ａ１に配置されている。上記のようなリード線Ｌのレイアウトは、第１領域Ａ１及び第２領域Ａ２の第１方向Ｘの幅の均一化、及び、液晶表示装置ＤＳＰの狭額縁化に対応したものである。
【００４７】
なお、リード線Ｌのレイアウトは、図示した例に限らない。例えば、表示領域ＤＡにおける上半分の複数の検出電極Ｒｘと接続されるリード線Ｌは、第１領域Ａ１及び第２領域Ａ２の一方に位置し、表示領域ＤＡにおける下半分の複数の検出電極Ｒｘと接続されるリード線Ｌは、第１領域Ａ１及び第２領域Ａ２の他方に位置するレイアウトを採用することも可能である。
【００４８】
平面視で、左側の拡幅部群ＳＲは、左端の第１電極Ｃａ１の第２領域Ａ２側の側縁部と対向している。本実施形態において、左側の拡幅部群ＳＲの第２領域Ａ２側の側縁と、左端の第１電極Ｃａ１の第２領域Ａ２側の側縁とは、表示領域ＤＡ及び非表示領域ＮＤＡの境界に沿って延在し、第３方向Ｚに揃っている。  
右側の拡幅部群ＳＲは、上記の左側の拡幅部群ＳＲと同様に構成されている。
【００４９】
第１電極Ｃａの各々は、共通電極駆動回路ＣＤに電気的に接続されている。一例では、共通電極駆動回路ＣＤの少なくとも一部は、駆動ＩＣチップＩＣ１に内蔵されているが、この例に限らない。例えば、共通電極駆動回路ＣＤは、駆動ＩＣチップＩＣ１の外部に設けられてもよい。共通電極駆動回路ＣＤは、共通電極ＣＥに対して、画像を表示する表示駆動時にコモン駆動信号を供給し、センシングを行うセンシング駆動時にセンサ駆動信号を供給する駆動部として機能する。
【００５０】
フレキシブル配線基板ＦＰＣ２は、図面の下側（駆動ＩＣチップＩＣ１に近接する側）の非表示領域ＮＤＡにおいて、第２基板ＳＵＢ２に接続され、リード線Ｌの各々と電気的に接続されている。検出回路ＲＣは、例えば、駆動ＩＣチップＩＣ２に内蔵されている。共通電極ＣＥからのセンサ駆動信号は検出電極Ｒｘで検出信号として受信され、検出回路ＲＣは、検出電極Ｒｘに接続されたリード線Ｌを介して供給される検出電極Ｒｘからの検出信号の変化をセンサ出力値として読み出す。このような機能を有する検出回路ＲＣは、検出電極Ｒｘからのセンサ出力値に基づいて、液晶表示装置ＤＳＰへの被検出物の接触あるいは接近を検出する。さらに、検出回路ＲＣは、被検出物が接触あるいは接近した箇所の位置情報を検出することも可能である。なお、検出回路ＲＣは、制御モジュールＣＭに備えられていてもよい。
【００５１】
図６は、図５に示したセンサＳＥの一部を拡大して示す平面図である。  
図６に示すように、共通電極ＣＥの各第１電極Ｃａは、表示領域ＤＡにおいて、第１方向Ｘに並んでいる。第１電極Ｃａは、それぞれ第１方向Ｘに第１幅Ｗｃａを有している。第１幅Ｗｃａは、帯状に形成された第１電極Ｃａの長辺間の間隔であり、第１電極Ｃａの長さ方向にわたって一定である。但し、第１幅Ｗｃａは、画素ＰＸの第１方向Ｘに沿ったピッチである画素ピッチＰｕの整数倍であることが望ましい。ここで言う画素ピッチＰｕとは、図４に示した隣り合うソース線Ｓの中心の第１方向Ｘのピッチに等しい。画素ピッチＰｕは特定されるものではないが、本実施形態における画素ピッチＰｕは３０〜６０μｍである。
【００５２】
各々の第１電極Ｃａの第１幅Ｗｃａのうち、最も外側に位置する端の第１電極Ｃａ１，Ｃａｋの第１幅Ｗｃａ１は、他の各々の第１電極Ｃａ（Ｃａ２，Ｃａ３，…Ｃａｋ−１）の第１方向Ｘの第１幅Ｗｃａ２より小さい。本実施形態において、左端の第１電極Ｃａ１と、右端の第１電極Ｃａｋとは、同一の第１幅Ｗｃａ１を有している。端以外の第１電極Ｃａ（Ｃａ２，Ｃａ３，…Ｃａｋ−１）の各々は、同一の第１幅Ｗｃａ２を有している。
【００５３】
本明細書において、同一の幅とは、幅が完全に同一であることを言う。さらには、各々の第１電極Ｃａを利用する複数の画素ＰＸのうち第１方向Ｘに並ぶ画素ＰＸの個数の差が３個以内であることも含む。さらには、各々の第１電極Ｃａの第１方向Ｘの幅の差が１８０μｍ以内であることも含む。  
本実施形態において、端の第１電極Ｃａ１，Ｃａｋのそれぞれの第１幅Ｗｃａ１は、完全に同一である。端以外の第１電極Ｃａ（Ｃａ２，Ｃａ３，…Ｃａｋ−１）の各々の第１幅Ｗｃａ２は、完全に同一である。
【００５４】
また、上述したように、本実施形態に係る各々のセンサ駆動電極Ｔｘは、１個の第１電極Ｃａで構成されている。例えば、第１センサ駆動電極Ｔｘ１は、端の第１電極Ｃａ１で構成されている。
【００５５】
本実施形態において、複数のセンサ駆動電極Ｔｘのうち、端の第１電極Ｃａ１を含む第１センサ駆動電極Ｔｘ１と、端の第１電極Ｃａｋを含む第ｈセンサ駆動電極Ｔｘｈとは、それぞれ、同様の形状及びサイズを有している。複数のセンサ駆動電極Ｔｘのうち、端の第１電極Ｃａ１，Ｃａｋを含まない第２乃至第ｈ−１センサ駆動電極Ｔｘ２乃至Ｔｘｈ−１は、それぞれ、第１及び第ｈセンサ駆動電極Ｔｘ１及びＴｘｈの各々と異なる形状及びサイズを有している。また、第１及び第ｈセンサ駆動電極Ｔｘ１及びＴｘｈの各々の駆動幅Ｗｔを第１駆動幅Ｗｔ１とし、第２乃至第ｈ−１センサ駆動電極Ｔｘ２乃至Ｔｘｈ−１の各々の駆動幅Ｗｔを第２駆動幅Ｗｔ２とする。
【００５６】
本実施形態において、センサ駆動電極Ｔｘの第１方向Ｘの駆動幅Ｗｔは、対応する第１電極Ｃａの第１幅Ｗｃａと同一である。例えば、第１駆動幅Ｗｔ１は、第１幅Ｗｃａ１と同一である。また、第２駆動幅Ｗｔ２は、第１幅Ｗｃａ２と同一である。第１駆動幅Ｗｔ１が第２駆動幅Ｗｔ２より小さいことは言うまでもない。
【００５７】
共通電極ＣＥのうち、端の第１電極Ｃａ１，Ｃａｋの非表示領域ＮＤＡ側の端辺は、図示した例では、表示領域ＤＡ及び非表示領域ＮＤＡの境界Ｂと重なる位置に配置されている。但し、上記の通り、共通電極ＣＥが第１基板ＳＵＢ１に備えられ、遮光層ＢＭが第２基板ＳＵＢ２に備えられた構成では、第１基板ＳＵＢ１と第２基板ＳＵＢ２との貼り合せに際してズレが生ずることがある。このため、第１電極Ｃａ１，Ｃａｋの端辺は、必ずしも境界Ｂと揃うとは限らず、基板の合せズレに相当する距離だけ、境界Ｂよりも表示領域ＤＡ側または非表示領域ＮＤＡ側にずれる場合もあり得る。
【００５８】
検出電極Ｒｘは、互いに接続された拡幅部ＲＳＬ及び本体部ＲＲを備えている。  
拡幅部ＲＳＬは、リード線Ｌと電気的に接続されている。また、拡幅部ＲＳＬは、平面視で、非表示領域ＮＤＡと重なることはなく、表示領域ＤＡに配置されている。また、拡幅部ＲＳＬは、複数の第１電極Ｃａのうち、端の第１電極Ｃａ１又は端の第１電極Ｃａｋのみと重なっている。図示した例では、拡幅部ＲＳＬの非表示領域ＮＤＡ側の端辺は、境界Ｂに位置している。このような拡幅部ＲＳＬは、第２方向Ｙに延びた縦長の領域に位置しており、第２方向Ｙに第１幅Ｗｓｌを有している。
【００５９】
本体部ＲＲは、帯状に形成されるとともに端部を拡幅部ＲＳＬにつなげて形成され、表示領域ＤＡに配置されている。表示領域ＤＡにおいて、本体部ＲＲは、共通電極ＣＥと対向している。このような本体部ＲＲは、第１方向Ｘに延びた横長の領域に位置している。本実施形態において、本体部ＲＲは、２個の分割部ＲＲ１，ＲＲ２を有しており、これら分割部の間にはスリットが設けられている。分割部ＲＲ１，ＲＲ２は、それぞれ、帯状に形成され第１方向Ｘに延びている。なお、本体部ＲＲの有する分割部の個数は、２個に限定されるものではなく、単個又は３個以上であってもよい。また、本体部ＲＲの形状及びサイズは、特に限定されるものではなく、種々変形可能である。
【００６０】
分割部ＲＲ１は、第２方向Ｙに第２幅Ｗｒ１を有している。分割部ＲＲ２は、第２方向Ｙに第２幅Ｗｒ２を有している。本体部ＲＲの第２方向Ｙの本体幅Ｗｒは、第２幅Ｗｒ１と第２幅Ｗｒ２との和である（Ｗｒ＝Ｗｒ１＋Ｗｒ２）。本実施形態において、本体幅Ｗｒは、表示領域ＤＡ内の全域において均一である。ここでは、第２幅Ｗｒ１，Ｗｒ２は、それぞれ表示領域ＤＡ内の全域において均一である。そして、本体幅Ｗｒは、第１幅Ｗｓｌよりも小さい。つまり、拡幅部ＲＳＬは、本体部ＲＲよりも幅広である。
【００６１】
図示した例では、拡幅部ＲＳＬは、第２方向Ｙに並んだ２個の分割部ＲＲ１，ＲＲ２に接続されている。また、拡幅部ＲＳＬは、本体部ＲＲに対して第１方向Ｘに並び、本体部ＲＲに対して第２方向Ｙの両方向に突出するような領域にわたって位置している。  
図示した検出電極Ｒｘの一部（１個の分割部ＲＲ１及び１個の拡幅部ＲＳＬ）に着目すると、検出電極Ｒｘは略Ｔ字状の形状を有している。なお、検出電極Ｒｘは、図示しない表示領域ＤＡの反対側についても同様の形状を有しており、１つの検出電極Ｒｘは略Ｉ字状の形状を有している。
【００６２】
本実施形態では、検出電極Ｒｘは、接続部ＣＰ、及び検出線ＬＢによって構成されている。接続部ＣＰ及び検出線ＬＢは、いずれも金属製である。接続部ＣＰは、拡幅部ＲＳＬとリード線Ｌとを接続している。検出線ＬＢは、全て表示領域ＤＡに配置されている。検出線ＬＢは、接続部ＣＰの一端側から他端側にわたって接続され、概ね第１方向Ｘに延出している。図示した例では、検出線ＬＢは、格子状（メッシュ状）の形状を有している。格子を構成する各セグメントは、第１方向Ｘ及び第２方向Ｙのいずれとも異なる方向に延びている。検出線ＬＢは、拡幅部ＲＳＬを形成する第１検出線ＬＢ１と、分割部ＲＲ１，ＲＲ２を形成する第２検出線ＬＢ２とが一体となって形成されている。
【００６３】
検出線ＬＢの形状は、格子状に限定されるものではなく、種々変形可能である。例えば、検出電極Ｒｘは、波形（より具体的には三角波形）の形状を有する複数の検出線で形成されていてもよい。また、検出電極Ｒｘの拡幅部ＲＳＬは、直線波型形状に限定されず、サイン波等の円形波型形状等も採用できる。すなわち、第２方向Ｙに隣り合う拡幅部ＲＳＬの端部同士で凹部と凸部とが噛み合い、これによってこれらの境界が一直線上に形成されるものでない方が望ましい。
【００６４】
なお、これら隣り合う検出線ＬＢの間隔は著しく小さく、当該検出線によって包囲される小空間（本実施例であれば菱形状の小空間）から電界の漏れはほとんどなく、これら検出線ＬＢによって捕捉される。かかる観点から、以下の説明では、検出電極Ｒｘの本体部ＲＲ及び拡幅部ＲＳＬは、中央部や端部にてこれらを貫通する電界（或いは電界の抜け）を生じさせない帯状を呈するものとして説明する。
【００６５】
ここで、拡幅部ＲＳＬの第１幅Ｗｓｌは、第１検出線ＬＢ１の第２方向Ｙの距離に相当する。分割部ＲＲ１の第２幅Ｗｒ１及び分割部ＲＲ２の第２幅Ｗｒ２は、それぞれ第２検出線ＬＢ２の第２方向Ｙの距離に相当する。また、拡幅部ＲＳＬの領域は、第１検出線ＬＢ１と重なる領域のみではなく、図中、二点鎖線で囲んだ領域に相当し、第１検出線ＬＢ１は、その二点鎖線上まで広がっている。分割部ＲＲ１，ＲＲ２の領域は、第２検出線ＬＢ２と重なる領域のみではなく、図中、二点鎖線で囲んだ領域に相当し、第２検出線ＬＢ２は、その二点鎖線上まで広がっている。
【００６６】
表示領域ＤＡにおいて、隣り合う分割部ＲＲ１及びＲＲ２の間、並びに隣り合う本体部ＲＲの間には、ダミー電極ＤＲが配置されている。ダミー電極ＤＲは、検出線ＬＢに対応する複数のセグメントで形成されている。例えば、ダミー電極ＤＲの複数のセグメントは、間隔を置いて格子状に並べられている。このようなダミー電極ＤＲは、リード線Ｌや検出線ＬＢなどの配線には接続されず、電気的にフローティング状態にある。図示した例では、ダミー電極ＤＲは、隣り合う本体部ＲＲの間や、隣り合う本体部ＲＲの間や、分割部ＲＲ１及びＲＲ２の間に配置され、隣り合う拡幅部ＲＳＬの間には配置されていない。
【００６７】
複数の検出電極Ｒｘは、第２方向Ｙに並んでいる。第２方向Ｙに並んだ検出電極Ｒｘの各々の拡幅部ＲＳＬは、互いに電気的に絶縁され、且つ、隣り合って配置されている。つまり、各検出電極Ｒｘにおいては、拡幅部ＲＳＬを構成する検出線ＬＢのセグメントがほぼ一定の間隔で並び、隣り合う検出電極Ｒｘの拡幅部ＲＳＬにおいても、一方の拡幅部と他方の拡幅部との間にダミー電極ＤＲが介在することなく、それぞれの検出線ＬＢのセグメントがほぼ一定の間隔で第２方向Ｙなどに並んでいる。上記のように検出線ＬＢが配置されることにより、第２方向Ｙに並ぶ拡幅部ＲＳＬの間の領域からの電界の漏れは、抑制される。
【００６８】
拡幅部群ＳＲを構成する拡幅部ＲＳＬは、それぞれ物理的に分離されているものの、上記のように検出線ＬＢが配置されている。このため、拡幅部群ＳＲは、表示領域ＤＡと第１領域Ａ１との境界に沿った全域と、表示領域ＤＡと第２領域Ａ２との境界に沿った全域と、において、実質的に隙間なく電界を遮蔽する電界遮蔽機能を発揮することができる。表示領域ＤＡから第１領域Ａ１及び第２領域Ａ２の両方に電気力線が抜けることはなく、当該電気力線はいずれかの拡幅部ＲＳＬに捕捉され、当該拡幅部ＲＳＬと共通電極ＣＥとの間で電界が形成されるものとなる。
【００６９】
つまり、本体部ＲＲ間の隙間や、分割部ＲＲ１，ＲＲ２間の隙間を通じて、共通電極ＣＥと拡幅部ＲＳＬとの間で静電容量が形成され、結果として、当該隙間を通じての共通電極ＣＥとリード線Ｌとの間での容量形成を抑制することができる。例えば、共通電極ＣＥの検出電極Ｒｘの隙間に位置する部分と、当該検出電極Ｒｘとは異なる検出電極と接続されるリード線Ｌとの間での容量形成を抑制することができるため、センサＳＥの誤検出を抑制することができる。
【００７０】
図７は、図５に示したセンサＳＥの一部を拡大して示す他の平面図である。  
図７に示すように、平面視において、第１センサ駆動電極Ｔｘ１と検出電極Ｒｘとが対向する面積を第１面積Ｓ１とする。第２センサ駆動電極Ｔｘ２と検出電極Ｒｘとが対向する面積を第２面積Ｓ２とする。なお、第ｈセンサ駆動電極Ｔｘｈと検出電極Ｒｘとが対向する面積も上記第１面積Ｓ１であり、第３乃至第ｈ−１センサ駆動電極）Ｔｘ３乃至Ｔｘｈ−１の各々と検出電極Ｒｘとが対向する面積も第２面積Ｓ２である。
【００７１】
本実施形態において、第１面積Ｓ１は、第２面積Ｓ２より僅かに大きい。但し、本実施形態において、本体幅Ｗｒは、表示領域ＤＡ内の全域において均一である。第１駆動幅Ｗｔ１を第２駆動幅Ｗｔ２より小さくしている。第１駆動幅Ｗｔ１が第２駆動幅Ｗｔ２と同一であると仮定した場合と比較して、第１面積Ｓ１を第２面積Ｓ２に近づけることが可能であり、第１面積Ｓ１と第２面積Ｓ２との差を低減することができる。このため、本実施形態と異なり、第１駆動幅Ｗｔ１をさらに小さくすることにより、第１面積Ｓ１を第２面積Ｓ２に一致させることが可能であり、第１面積Ｓ１と第２面積Ｓ２との差をゼロにすることが可能である。
【００７２】
図８は、各々のセンサ駆動電極Ｔｘにおけるセンサ駆動電極Ｔｘと検出電極Ｒｘとの間の容量Ｃｃの値を折れ線グラフで示す図である。  
図８に示すように、センサ駆動電極Ｔｘと検出電極Ｒｘとの間の容量Ｃｃの値は、センサ駆動電極Ｔｘと検出電極Ｒｘとが対向する面積に比例している。第２乃至第ｈ−１センサ駆動電極Ｔｘ２乃至Ｔｘｈ−１の各々と検出電極Ｒｘとの間の容量Ｃｃの値は、均一の値であり、Ｖｃ２である。これに対し、第１及び第ｈセンサ駆動電極Ｔｘ１及びＴｘｈの各々と検出電極Ｒｘとの間の容量Ｃｃの値は、均一の値であり、上記容量値Ｖｃ２より高いＶｃ１である。しかしながら、上述したように、本実施形態においては、第１面積Ｓ１と第２面積Ｓ２との差の絶対値を低減したため、容量値Ｖｃ２と容量値Ｖｃ１との差の絶対値である容量差ΔＶｃ１も低減されている。
【００７３】
上記のように、容量Ｃｃのばらつきを抑制することにより、液晶表示装置ＤＳＰの入力面に指などが接触あるいは接近した場合に、検出電極Ｒｘに生じる容量の変化を相対的に小さくなり難くすることができる。  
上記のことから、本実施形態では、第１幅Ｗｃａを、端の第１電極Ｃａと端以外の第１電極Ｃａとで異ならせると言う物理的手段により、センサＳＥの全域における容量Ｃｃのばらつきが抑制され、入力位置情報を正確に検出することのできるセンサＳＥが形成されている。
【００７４】
図９は、上記センサＳＥの一部を含む表示パネルＰＮＬの構造を示す断面図である。なお、ここでは説明に必要な主要部のみを図示している。  
図９に示すように、第１基板ＳＵＢ１及び第２基板ＳＵＢ２の間には、平面視で非表示領域ＮＤＡとなる領域に枠状のシール材ＳＥＡが設けられており、これによって液晶層ＬＣが第１基板ＳＵＢ１と第２基板ＳＵＢ２とシール材ＳＥＡとで囲まれた空間に封入されるものとなる。共通電極ＣＥ及び画素電極ＰＥは、第１基板ＳＵＢ１の第２基板ＳＵＢ２と対向する内面側に位置している。すなわち、共通電極ＣＥは、第２絶縁膜１２の上に位置し、第３絶縁膜１３によって覆われている。画素電極ＰＥは、第３絶縁膜１３の上に位置し、共通電極ＣＥと対向している。なお、共通電極ＣＥの直上に位置する画素電極ＰＥの個数はこの例に限らない。なお、ソース線などの各種配線や第１配向膜の図示は省略している。
【００７５】
遮光層ＢＭ、カラーフィルタＣＦＲ，ＣＦＧ，ＣＦＢ、オーバーコート層ＯＣ、及び周辺遮光層ＬＳは、第２基板ＳＵＢ２の第１基板ＳＵＢ１と対向する内面側に位置している。すなわち、表示領域ＤＡにおいては、カラーフィルタＣＦＲ，ＣＦＧ，ＣＦＢは、各画素電極ＰＥと対向している。遮光層ＢＭは、カラーフィルタＣＦＲ、ＣＦＧ、ＣＦＢの境界に位置している。非表示領域ＮＤＡにおいて、周辺遮光層ＬＳは、第２絶縁基板２０の内面に位置している。この周辺遮光層ＬＳは、遮光層ＢＭと同一材料によって形成可能である。オーバーコート層ＯＣは、表示領域ＤＡ及び非表示領域ＮＤＡにわたって延在している。なお、第２配向膜の図示は省略している。
【００７６】
検出電極Ｒｘ及びリード線Ｌは、第２基板ＳＵＢ２の第１基板ＳＵＢ１と対向する側とは反対の外面側に位置している。検出電極Ｒｘ及びリード線Ｌは、同一材料によって形成可能であり、例えば、アルミニウム（Ａｌ）、チタン（Ｔｉ）、銀（Ａｇ）、モリブデン（Ｍｏ）、タングステン（Ｗ）、銅（Ｃｕ）、クロム（Ｃｒ）などの金属材料及びこれらの金属材料を利用した合金によって形成されている。また、検出電極Ｒｘ及びリード線Ｌは、これらの金属材料の単層体であってもよいし、層状に積層した積層体であってもよい。さらに、検出電極Ｒｘ及びリード線Ｌは、金属材料によって形成された単層体または積層体と、ＩＴＯ等の透明導電膜との集合体で形成されていてもよい。
【００７７】
リード線Ｌの下方には、シール材ＳＥＡが配置されている。なお、表示領域ＤＡに位置する検出電極Ｒｘは、上記の不透明な金属材料によって形成されているが、例えば３乃至５μｍ程度の幅の細線からなる検出線ＬＢによって構成されているため、各画素の透過率を著しく低下させることはない。また、各検出線ＬＢは、図６に示したように、画素の配列方向（第１方向Ｘ及び第２方向Ｙ）とは異なる方向に延出した細線からなるため、画素レイアウトとのモアレが抑制され、表示品位の劣化が抑制されている。
【００７８】
第２基板ＳＵＢ２の外面側には、さらに、保護膜ＰＴが設けられている。保護膜ＰＴは、検出電極Ｒｘ及びリード線Ｌを覆っている。このような保護膜ＰＴは、例えば、透明な樹脂材料や、透明な無機系材料によって形成される。
【００７９】
次に、上記した構成の液晶表示装置ＤＳＰにおいて画像を表示する表示駆動期間の動作について説明する。  
まず、液晶層ＬＣにフリンジ電界が形成されていないオフ状態について説明する。オフ状態は、画素電極ＰＥと共通電極ＣＥとの間に電位差が形成されていない状態に相当する。このようなオフ状態では、液晶層ＬＣに含まれる液晶分子は、第１配向膜ＡＬ１及び第２配向膜ＡＬ２の配向規制力によりＸ−Ｙ平面内において一方向に初期配向している。
【００８０】
バックライトユニットＢＬからの光の一部は、第１光学素子ＯＤ１の偏光板を透過し、表示パネルＰＮＬに入射する。表示パネルＰＮＬに入射した光は、偏光板の吸収軸と直交する直線偏光である。このような直線偏光の偏光状態は、オフ状態の表示パネルＰＮＬを通過した際にほとんど変化しない。このため、表示パネルＰＮＬを透過した直線偏光のほとんどが、第２光学素子ＯＤ２の偏光板によって吸収される（黒表示）。つまり、バックライトユニットＢＬからの光は、表示に寄与せず、表示領域ＤＡには黒画面が表示される。このようにオフ状態で表示パネルＰＮＬに黒画面が表示されるモードは、ノーマリーブラックモードと称される。
【００８１】
続いて、液晶層ＬＣにフリンジ電界が形成されるオン状態について説明する。オン状態は、画素電極ＰＥと共通電極ＣＥとの間に電位差が形成された状態に相当する。オン状態では、共通電極ＣＥには、共通電極駆動回路ＣＤからコモン駆動信号が供給される。その一方で、画素電極ＰＥには、コモン電位に対して電位差を形成するような映像信号が供給される。これにより、画素電極ＰＥと共通電極ＣＥとの間にフリンジ電界が形成される。
【００８２】
このようなオン状態では、液晶分子は、Ｘ−Ｙ平面内において、液晶層ＬＣ内に形成されるフリンジ電界の影響を受けて初期配向方向とは異なる方位に配向する。第１光学素子ＯＤ１の偏光板の吸収軸と直交する直線偏光は、表示パネルＰＮＬに入射し、その偏光状態は、液晶層ＬＣを通過する際に液晶分子の配向状態に応じて変化する。このため、オン状態においては、液晶層ＬＣを通過した少なくとも一部の光は、第２光学素子ＯＤ２の偏光板を透過する（白表示）。上記の表示モードにおいては、画素電極ＰＥのエッジに沿ってフリンジ電界が形成されるため、主として画素電極ＰＥのエッジ付近が表示に寄与する。
【００８３】
次に、上記した液晶表示装置ＤＳＰにおいて被検出物の接触あるいは接近を検出するためのセンシング駆動期間の動作について説明する。  
すなわち、センサ駆動電極Ｔｘに対しては、共通電極駆動回路ＣＤからセンサ駆動信号が供給される。このような状態で、センシングが行われる。ここで、センシング方法の一例の原理について、図１０を参照しながら説明する。
【００８４】
図１０に示すように、センサ駆動電極Ｔｘと検出電極Ｒｘとの間には、上記容量Ｃｃが存在する。センサ駆動電極Ｔｘの各々には、順次、所定の周期でパルス状の書込信号（センサ駆動信号）Ｖｗが供給される。この例では、被検出物となる利用者の指が特定の検出電極Ｒｘとセンサ駆動電極Ｔｘとが交差する位置に近接して存在するものとする。検出電極Ｒｘに近接している被検出物により、容量Ｃｘが生ずる。センサ駆動電極Ｔｘにパルス状の書込信号Ｖｗが供給されたときに、特定の検出電極Ｒｘからは、他の検出電極から得られるパルスよりもレベルの低いパルス状の読取信号（センサ出力値）Ｖｒが得られる。
【００８５】
図５に示した検出回路ＲＣでは、書込信号Ｖｗがセンサ駆動電極Ｔｘに供給されるタイミングと、各検出電極Ｒｘからの読取信号Ｖｒとに基づいて、センサＳＥのＸ−Ｙ平面内での被検出物の２次元位置情報を検出することができる。また、上記の容量Ｃｘは、被検出物が検出電極Ｒｘに近い場合と、遠い場合とで異なる。このため、読取信号Ｖｒのレベルも被検出物が検出電極Ｒｘに近い場合と、遠い場合とで異なる。したがって、検出回路ＲＣでは、読取信号Ｖｒのレベルに基づいて、センサＳＥに対する被検出物の近接度（センサＳＥへの第３方向Ｚの距離）を検出することもできる。
【００８６】
上記のように構成された第１の実施形態に係るセンサ付き液晶表示装置ＤＳＰによれば、液晶表示装置ＤＳＰは、複数の第１電極Ｃａ、検出電極Ｒｘ及びリード線Ｌを有する表示パネルＰＮＬと、制御部と、を備えている。複数の第１電極Ｃａは、表示領域ＤＡに配置され第１方向Ｘに間隔をおいて並べられ第２方向Ｙにそれぞれ延在している。検出電極Ｒｘは、本体部ＲＲ及び拡幅部ＲＳＬを有している。本体部ＲＲは、複数の第１電極Ｃａと対向している。拡幅部ＲＳＬは、複数の第１電極Ｃａのうち端の第１電極Ｃａ１（又は、第１電極Ｃａｋ）と対向し、本体部ＲＲに接続され、本体部ＲＲよりも幅広である。リード線Ｌは、非表示領域ＮＤＡに配置され、拡幅部ＲＳＬと電気的に接続されている。
【００８７】
複数の第１電極Ｃａの各々は、対応する１個のセンサ駆動電極Ｔｘを構成している。複数のセンサ駆動電極Ｔｘのうち、各々の第１及び第ｈセンサ駆動電極Ｔｘ１及びＴｘｈの第１駆動幅Ｗｔ１は、各々の第２乃至第ｈ−１センサ駆動電極Ｔｘ２乃至Ｔｘｈ−１の第２駆動幅Ｗｔ２より小さい。このため、電界の漏れを抑制するためにセンサＳＥが拡幅部ＲＳＬを利用する場合においても、額縁領域の面積の縮小を図りつつ、センサＳＥの全域における容量Ｃｃのばらつきを抑制することができる。
【００８８】
上記実施形態において、本体部ＲＲの第２方向Ｙの本体幅Ｗｒは、表示領域ＤＡ内の全域において均一である。第２乃至第ｈ−１センサ駆動電極Ｔｘ２乃至Ｔｘｈ−１の各々の第２駆動幅Ｗｔ２は均一である。このため、第２乃至第ｈ−１センサ駆動電極Ｔｘ２乃至Ｔｘｈ−１の各々と検出電極Ｒｘとが対向する第２面積Ｓ２は均一となる。このため、一層、容量Ｃｃのばらつきを抑制することができる。  
上記のことから、入力位置情報を正確に検出することのできるセンサ付き液晶表示装置ＤＳＰを得ることができる。
【００８９】
（第１の実施形態の比較例）  
次に、第１の実施形態の比較例に係るセンサ付き液晶表示装置ＤＳＰについて説明する。図１１は、上記比較例に係るセンサ付き液晶表示装置のセンサＳＥの一部を拡大して示す平面図である。
【００９０】
図１１に示すように、本比較例は、上記第１の実施形態と比較して、第１幅Ｗｃａが端の第１電極Ｃａと端以外の第１電極Ｃａとにかかわらず同一である点、第１電極Ｃａ及び駆動電極Ｔｘが奇数個である点、で相違している。
【００９１】
複数のセンサ駆動電極Ｔｘのうち、奇数番目のセンサ駆動電極Ｔｘの各々の駆動幅Ｗｔは、均一であり、上記第１の実施形態の第２駆動幅Ｗｔ２と同一である。このため、奇数番目のセンサ駆動電極Ｔｘのうち、端以外のセンサ駆動電極Ｔｘの各々と検出電極Ｒｘとが対向する面積は、均一であり、上記第１の実施形態の第２面積Ｓ２と同一である。なお、本比較例のセンサＳＥは、端のセンサ駆動電極Ｔｘの各々と検出電極Ｒｘとが対向する面積を、端以外のセンサ駆動電極Ｔｘの各々と検出電極Ｒｘとが対向する面積に近づけるように構成されていない。
【００９２】
また、複数のセンサ駆動電極Ｔｘのうち、偶数番目のセンサ駆動電極Ｔｘの各々の駆動幅Ｗｔは、均一であり、上記奇数番目のセンサ駆動電極Ｔｘの各々の駆動幅Ｗｔより小さい。本比較例において、偶数番目のセンサ駆動電極Ｔｘの各々の駆動幅Ｗｔは、奇数番目のセンサ駆動電極Ｔｘの各々の駆動幅Ｗｔより、１画素分短い、又は３０〜６０μｍ短い。このため、本比較例のセンサＳＥは、端以外の奇数番目のセンサ駆動電極Ｔｘの各々と検出電極Ｒｘとが対向する面積と、偶数番目のセンサ駆動電極Ｔｘの各々と検出電極Ｒｘとが対向する面積とが、均一となるように構成されていない。
【００９３】
図１２は、上記比較例の各々のセンサ駆動電極Ｔｘにおけるセンサ駆動電極Ｔｘと検出電極Ｒｘとの間の容量Ｃｃの値を折れ線グラフで示す図である。  
図１２に示すように、端以外の奇数番目のセンサ駆動電極Ｔｘの各々と検出電極Ｒｘとの間の容量Ｃｃの値は、均一の値であり、Ｖｃ２である。これに対し、偶数番目のセンサ駆動電極Ｔｘの各々と検出電極Ｒｘとの間の容量Ｃｃの値は、均一の値であるが、上記容量値Ｖｃ２より低いＶｃ３である。このため、本比較例においては、容量値Ｖｃ２と容量値Ｖｃ３との差の絶対値である容量差ΔＶｃ２が生じる結果となった。
【００９４】
端の第１及び第ｈセンサ駆動電極Ｔｘ１及びＴｘｈの各々と検出電極Ｒｘとの間の容量Ｃｃの値は、均一の値であるが、図８にも示した容量値Ｖｃ１より高いＶｃ４である。このため、容量値Ｖｃ２と容量値Ｖｃ４との差の絶対値である容量差ΔＶｃ３は、上記容量差ΔＶｃ１より大きくなる結果となった。
【００９５】
上記のことから、上記比較例では、検出電極Ｒｘに生じる容量の変化が相対的に小さくなる恐れがあるものである。すなわち、センサＳＥの全域における容量Ｃｃのばらつきが抑制され難く、入力位置情報を正確に検出するためのさらなる処理が必要となり、検出時間や消費電力の観点から不利となる。
【００９６】
（第２の実施形態）  
次に、第２の実施形態に係るセンサ付き液晶表示装置ＤＳＰについて説明する。図１３は、本実施形態に係るセンサ付き液晶表示装置ＤＳＰのセンサＳＥの一部を拡大して示す平面図である。
【００９７】
図１３に示すように、本実施形態は、上記第１の実施形態と比較して、第１幅Ｗｃａが端の第１電極Ｃａと端以外の第１電極Ｃａとにかかわらず同一である点、第１電極Ｃａが奇数個である点、拡幅部ＲＳＬが非表示領域ＮＤＡにも配置されている点、及び複数のセンサ駆動電極Ｔｘの各々が複数個の第１電極Ｃａで形成されている点、で相違している。
【００９８】
複数の第１電極Ｃａのうち、奇数番目の第１電極Ｃａ各々の第１幅Ｗｃａは、均一である。また、複数の第１電極Ｃａのうち、偶数番目の第１電極Ｃａ各々の第１幅Ｗｃａは、均一であり、上記奇数番目の第１電極Ｃａ各々の第１幅Ｗｃａより小さい。本実施形態において、偶数番目の第１電極Ｃａ各々の第１幅Ｗｃａは、奇数番目の第１電極Ｃａ各々の第１幅Ｗｃａより、１画素分短い、又は３０〜６０μｍ短い。
【００９９】
拡幅部ＲＳＬは、境界Ｂを跨ぎ、表示領域ＤＡ及び非表示領域ＮＤＡの両方に配置されている。各々の検出電極Ｒｘのうち、左側の拡幅部ＲＳＬは、第２領域Ａ２及び端の第１電極Ｃａ１と対向している。各々の検出電極Ｒｘのうち、右側の拡幅部ＲＳＬは、第１領域Ａ１及び端の第１電極Ｃａｋと対向している。本実施形態においても、拡幅部ＲＳＬの少なくとも一部は表示領域ＤＡに配置されているため、電界の漏れを抑制しつつ、額縁領域の面積の縮小を図ることができる。
【０１００】
ここで、本実施形態に係る第１電極Ｃａとセンサ駆動電極Ｔｘとの関係について図１４を用いて説明する。図には、記号○を記載し、各々のセンサ駆動電極Ｔｘを形成する第１電極Ｃａを示している。  
図１４に示すように、複数の第１電極Ｃａは、束ねて駆動される。複数の第１電極Ｃａは、制御部から、互いに隣り合う複数の第１電極Ｃａに同時にセンサ駆動信号が供給されることで当該互いに隣り合う複数の第１電極を束にした複数のセンサ駆動電極Ｔｘを構成する。第１及び第ｈセンサ駆動電極Ｔｘ１及びＴｘｈは、それぞれ、端のセンサ駆動電極であり、ｉ個の第１電極Ｃａで構成されている。上記ｉは自然数である。このため、第１センサ駆動電極Ｔｘ１は、第１電極Ｃａ１を含み第１方向Ｘに隣合う２個以上の第１電極Ｃａで形成されている。同様に、第ｈセンサ駆動電極Ｔｘｈは、第１電極Ｃａｋを含み第１方向Ｘに隣合う２個以上の第１電極Ｃａで形成されている。本実施形態において、上記ｉは２である（ｉ＝２）。
【０１０１】
第２乃至第ｈ−１センサ駆動電極Ｔｘ２乃至Ｔｘｈ−１は、それぞれ、端以外のセンサ駆動電極であり、第１方向Ｘに隣合うｊ個の第１電極Ｃａで形成されている。上記ｊは、上記ｉを超える自然数である。このため、第２乃至第ｈ−１センサ駆動電極Ｔｘ２乃至Ｔｘｈ−１の各々は、端の第１電極Ｃａを除くとともに第１方向Ｘに隣合う２個以上の第１電極Ｃａで形成されている。本実施形態において、上記ｊは３である（ｊ＝３）。
【０１０２】
図１３及び図１４に示すように、第２センサ駆動電極Ｔｘ２は、第１センサ駆動電極Ｔｘ１から第１方向Ｘにずれた位置に形成されている。第２センサ駆動電極Ｔｘ２を形成する３個の第１電極Ｃａは、第１センサ駆動電極Ｔｘ１を形成する２個の第１電極Ｃａから１個以上入れ替わっている。また、第２センサ駆動電極Ｔｘ２を形成する３個の第１電極Ｃａは、第１センサ駆動電極Ｔｘ１を形成する２個の第１電極Ｃａと１個以上重複している。  
本実施形態において、第２センサ駆動電極Ｔｘ２は、第１センサ駆動電極Ｔｘ１に対して、第１電極Ｃａ２を重複して利用し、第１電極Ｃａ１の１個を第１電極Ｃａ３及び第１電極Ｃａ４の２個に入れ替えて構成されている。
【０１０３】
第３乃至第ｈ−１センサ駆動電極Ｔｘ３乃至Ｔｘｈ−１も、それぞれ、１つ前のセンサ駆動電極Ｔｘから第１方向Ｘに同様にずれた位置に形成されている。例えば、第３センサ駆動電極Ｔｘ３を構成する３個の第１電極Ｃａは、第２センサ駆動電極Ｔｘ２を構成する３個の第１電極Ｃａに対して、１個以上入れ替わり、１個以上重複している。  
本実施形態において、第３センサ駆動電極Ｔｘ３は、第２センサ駆動電極Ｔｘ２に対して、第１電極Ｃａ４を重複して利用し、第１電極Ｃａ２及び第１電極Ｃａ３の２個を第１電極Ｃａ５及び第１電極Ｃａ６の２個に入れ替えて構成されている。このため、第１電極Ｃａの単位でみると、第３乃至第ｈ−１センサ駆動電極Ｔｘ３乃至Ｔｘｈ−１は、それぞれ、３個の第１電極Ｃａを束ねて構成され、第１方向Ｘに２個の第１電極Ｃａ分ずれて位置している。
【０１０４】
図１３に示すように、上記のように、第２乃至第ｈ−１センサ駆動電極Ｔｘ２乃至Ｔｘｈ−１の各々は３個の第１電極Ｃａを束ねて構成されるため、これらの第２駆動幅Ｗｔ２は略同一である。本実施形態において、第２乃至第ｈ−１センサ駆動電極Ｔｘ２乃至Ｔｘｈ−１の各々は、偶数番目の２個の第１電極Ｃａと、奇数番目の１個の第１電極Ｃａとで構成されている。このため、本実施形態の第２駆動幅Ｗｔ２は完全に同一である。第１及び第ｈセンサ駆動電極Ｔｘ１及びＴｘｈの各々は２個の第１電極Ｃａを束ねて構成されるため、これらの第１駆動幅Ｗｔ１は第２駆動幅Ｗｔ２より小さい。
【０１０５】
また、本実施形態においても、平面視において、第１及び第ｈセンサ駆動電極Ｔｘ１及びＴｘｈの各々と検出電極Ｒｘとが対向する面積を第１面積Ｓ１とする。第２乃至第ｈ−１センサ駆動電極Ｔｘ２乃至Ｔｘｈ−１の各々と検出電極Ｒｘとが対向する面積を第２面積Ｓ２とする。
【０１０６】
上記のように、第２乃至第ｈ−１センサ駆動電極Ｔｘ２乃至Ｔｘｈ−１の各々の第２駆動幅Ｗｔ２は均一である。そして、本実施形態においても、本体部ＲＲの第２方向Ｙの本体幅Ｗｒは、表示領域ＤＡ内の全域において均一である。このため、第２乃至第ｈ−１センサ駆動電極Ｔｘ２乃至Ｔｘｈ−１の各々と検出電極Ｒｘとが対向する第２面積Ｓ２は均一となる。
【０１０７】
本実施形態において、第１面積Ｓ１は、第２面積Ｓ２より僅かに大きい。但し、本実施形態は、第１及び第ｈセンサ駆動電極Ｔｘ１及びＴｘｈの各々が３個の第１電極Ｃａを束ねて形成されると仮定した場合と比較して、第１面積Ｓ１を第２面積Ｓ２に近づけることが可能であり、第１面積Ｓ１と第２面積Ｓ２との差を低減することができる。このため、センサＳＥに関する条件次第では、第１面積Ｓ１を第２面積Ｓ２に一致させることが可能であり、第１面積Ｓ１と第２面積Ｓ２との差をゼロにすることが可能である。
【０１０８】
上記のように第１面積Ｓ１と第２面積Ｓ２との差を低減し、容量Ｃｃのばらつきを抑制することにより、液晶表示装置ＤＳＰの入力面に指などが接触あるいは接近した場合に、検出電極Ｒｘに生じる容量の変化を相対的に小さくなり難くすることができる。  
上記のことから、本実施形態では、第１電極Ｃａを束ねる個数を変えてセンシング駆動することで実質的にセンシング期間時における両端のセンサ駆動電極Ｔｘの幅の大きさを変え、これによって第１面積Ｓ１と第２面積Ｓ２の差分を低減すると言う駆動的処理がなされているといえる。これにより、本実施形態においても、センサＳＥの全域における容量Ｃｃのばらつきが抑制され、入力位置情報を正確に検出することのできる液晶表示装置ＤＳＰが形成されている。
【０１０９】
なお、上記ｉ及び上記ｊは種々変形可能であり、ｉ＝２、かつｊ＝３に限定されるものではない。また、本実施形態とは異なり、複数のセンサ駆動電極Ｔｘ間で利用する第１電極Ｃａは、重複していなくともよい。このため、複数のセンサ駆動電極Ｔｘは、第１方向Ｘにずれて位置していればよい。
【０１１０】
次に、本実施形態に係る液晶表示装置ＤＳＰの駆動方法について説明する。  
ここでは、連続する複数回の表示駆動の間にセンシング駆動を行なう場合を例に説明する。なお、ここで言う１回の表示駆動とは、少なくとも一水平走査期間における表示駆動であり、少なくとも第１方向Ｘに並んだ一行分の画素ＰＸを駆動することを意味している。  
図１５は、本実施形態に係る液晶表示装置ＤＳＰの駆動方法を説明するためのタイミングチャートであり、Ｆ番目の１フレーム期間のうちの第１期間における、映像信号Ｖｓｉｇ、コモン駆動信号Ｖｃｏｍ、及び書込み信号Ｖｗを示す図である。
【０１１１】
図１５に示すように、Ｆ番目の１フレーム期間であるＦフレーム期間は、例えば１／６０秒間である。Ｆフレーム期間は、第１期間と第１期間に続く第２期間とに分けられる。第１期間及び第２期間は、当該フレーム期間の半分の期間である。本実施形態において、上記第１期間に、１個の検出電極Ｒｘからの読取り信号Ｖｒの読取りが完了する。ここでは、上記第１期間の駆動について説明する。  
第１期間において、制御部（駆動ＩＣチップＩＣ１、駆動ＩＣチップＩＣ２及び制御モジュールＣＭ）は、各表示駆動期間Ｐｄにおける表示駆動と、表示駆動期間から外れたセンシング駆動期間Ｐｓにおけるセンシング駆動と、を繰り返し行う。センシング駆動期間Ｐｓは、例えばブランキング期間Ｐｂである。また、各センシング駆動期間Ｐｓにおいては、１個のセンサ駆動電極Ｔｘに書込み信号Ｖｗを書込み、１個の検出電極Ｒｘから読取り信号Ｖｒを読取ることができる。
【０１１２】
各表示駆動期間Ｐｄにおいて、駆動ＩＣチップＩＣ１は、複数のソース線Ｓを駆動し、ソース線駆動回路ＳＤは映像信号Ｖｓｉｇを出力し、共通電極駆動回路ＣＤは共通電極（複数の第１電極Ｃａ）にコモン駆動信号Ｖｃｏｍを与え、表示パネルＰＮＬを駆動する。なお、表示駆動期間Ｐｄにおいて、検出電極Ｒｘは、例えば、電気的フローティング状態に設定される。
【０１１３】
図１５及び図１６に示すように、上記第１期間の１番目のセンシング駆動期間Ｐｓにおいて、駆動ＩＣチップＩＣ１は、第１センサ駆動電極Ｔｘ１を駆動する。詳しくは、共通電極駆動回路ＣＤは、第１電極Ｃａ１及び第１電極Ｃａ２に書込み信号（センサ駆動信号）Ｖｗを書込む。駆動ＩＣチップＩＣ２は、検出電極Ｒｘから読取り信号Ｖｒを読取る。すなわち、入力位置情報を検出電極Ｒｘから取り出すことができる。読取り信号Ｖｒは、第１センサ駆動電極Ｔｘ１と検出電極Ｒｘとの間に発生したセンサ信号の変化を示す信号である。なお、図１６や図１７乃至図１９において、書込み対象のセンサ駆動電極Ｔｘと読取り対象の検出電極Ｒｘとが対向する領域に、斜線を付している。
【０１１４】
次いで、図１５及び図１７に示すように、上記第１期間の２番目のセンシング駆動期間Ｐｓにおいて、駆動ＩＣチップＩＣ１は、第２センサ駆動電極Ｔｘ２を駆動する。詳しくは、共通電極駆動回路ＣＤは、第１電極Ｃａ２、第１電極Ｃａ３及び第１電極Ｃａ４に書込み信号（センサ駆動信号）Ｖｗを書込む。駆動ＩＣチップＩＣ２は、検出電極Ｒｘから読取り信号Ｖｒを読取る。読取り信号Ｖｒは、第２センサ駆動電極Ｔｘ２と検出電極Ｒｘとの間に発生したセンサ信号の変化を示す信号である。なお、１番目のセンシング駆動期間Ｐｓと２番目のセンシング駆動期間Ｐｓとで、第１電極Ｃａ２が共通して用いられている。
【０１１５】
続いて、図１５及び図１８に示すように、上記第１期間の３番目のセンシング駆動期間Ｐｓにおいて、駆動ＩＣチップＩＣ１は、第３センサ駆動電極Ｔｘ３を駆動する。詳しくは、共通電極駆動回路ＣＤは、第１電極Ｃａ４、第１電極Ｃａ５及び第１電極Ｃａ６に書込み信号（センサ駆動信号）Ｖｗを書込む。駆動ＩＣチップＩＣ２は、検出電極Ｒｘから読取り信号Ｖｒを読取る。読取り信号Ｖｒは、第３センサ駆動電極Ｔｘ３と検出電極Ｒｘとの間に発生したセンサ信号の変化を示す信号である。なお、２番目のセンシング駆動期間Ｐｓと３番目のセンシング駆動期間Ｐｓとで、第１電極Ｃａ４が共通して用いられている。
【０１１６】
その後、上記第１期間の４番目からｈ−１番目のセンシング駆動期間Ｐｓにおいても、２番目及び３番目のセンシング駆動期間Ｐｓと同様に、書込み信号Ｖｗの書込みと、読取り信号Ｖｒの読取りとが行われる。
【０１１７】
続いて、図１５及び図１９に示すように、上記第１期間のｈ番目のセンシング駆動期間Ｐｓにおいて、駆動ＩＣチップＩＣ１は、第１２センサ駆動電極Ｔｘｈを駆動する。詳しくは、共通電極駆動回路ＣＤは、第１電極Ｃａｋ−１及び第１電極Ｃａｋに書込み信号（センサ駆動信号）Ｖｗを書込む。駆動ＩＣチップＩＣ２は、検出電極Ｒｘから読取り信号Ｖｒを読取る。読取り信号Ｖｒは、第ｈセンサ駆動電極Ｔｘｈと検出電極Ｒｘとの間に発生したセンサ信号の変化を示す信号である。
【０１１８】
上記のように、上記第１期間の駆動が行われる。そして、上記センシング駆動を、読取り対象の検出電極Ｒｘを替えながら行うことにより、表示領域ＤＡの全体を対象に、入力位置情報の検出を行うことができる。
【０１１９】
なお、本実施形態（図１５）では、表示駆動期間Ｐｄとセンシング駆動期間Ｐｓとが繰り返されるものであったが、これらの期間の設定は本実施形態に限定されるものではなく、種々変形可能である。例えば、上記第１期間において、表示駆動期間及びセンシング駆動期間は、それぞれ１回にまとめられていてもよい。
【０１２０】
上記のように構成された第２の実施形態に係るセンサ付き液晶表示装置ＤＳＰによれば、液晶表示装置ＤＳＰは、複数の第１電極Ｃａ、検出電極Ｒｘ及びリード線Ｌを有する表示パネルＰＮＬと、制御部と、を備えている。第１及び第ｈセンサ駆動電極Ｔｘ１及びＴｘｈの各々は、拡幅部ＲＳＬと対向しているため、２個の第１電極Ｃａを束ねて形成されている。第２乃至第ｈ−１センサ駆動電極Ｔｘ２乃至Ｔｘｈ−１の各々は、拡幅部ＲＳＬと対向していないため、３個の第１電極Ｃａを束ねて形成されている。
【０１２１】
複数のセンサ駆動電極Ｔｘのうち、各々の第１及び第ｈセンサ駆動電極Ｔｘ１及びＴｘｈの第１駆動幅Ｗｔ１は、各々の第２乃至第ｈ−１センサ駆動電極Ｔｘ２乃至Ｔｘｈ−１の第２駆動幅Ｗｔ２より小さい。このため、本実施形態は、上記第１の実施形態と同様の効果を得ることができる。  
上記のことから、入力位置情報を正確に検出することのできるセンサ付き液晶表示装置ＤＳＰを得ることができる。
【０１２２】
（第３の実施形態）  
次に、第３の実施形態に係るセンサ付き液晶表示装置ＤＳＰについて説明する。図２０は、本実施形態に係るセンサ付き液晶表示装置ＤＳＰのセンサＳＥの構成を示す平面図である。なお、ここでは説明に必要な主要部のみを図示している。
【０１２３】
図２０に示すように、本実施形態は、上記第１の実施形態（図５）と比較して、第１電極Ｃａ及び駆動電極Ｔｘが奇数個である点、共通電極ＣＥがｋ個の第１電極Ｃａ１乃至Ｃａｋだけでなく、２個の第２電極Ｃｂ１，Ｃｂ２も備えている点、拡幅部ＲＳＬが第２電極Ｃｂ１，Ｃｂ２とも対向している点、で相違している。
【０１２４】
第２電極Ｃｂ１は、表示領域ＤＡの端部に配置され、第２方向Ｙに延在し、複数の第１電極Ｃａのうち最も外側に位置する端の第１電極Ｃａ１に第１方向Ｘに間隔をおいて隣合っている。同様に、第２電極Ｃｂ２は、表示領域ＤＡの端部に配置され、第２方向Ｙに延在し、複数の第１電極Ｃａのうち最も外側に位置する端の第１電極Ｃａｋに第１方向Ｘに間隔をおいて隣合っている。このため、共通電極ＣＥにおいて、端の電極は、第１電極Ｃａ１，Ｃａｋではなく、第２電極Ｃｂ１，Ｃｂ２である。
【０１２５】
本実施形態において、第１電極Ｃａ２乃至Ｃａｋ−１の各々の第１幅Ｗｃａ２は、第２駆動幅Ｗｔ２であり、完全に同一である。第１電極Ｃａ１及びＣａｋの各々の第１幅Ｗｃａ１は、第１駆動幅Ｗｔ１であり、完全に同一であり、第１幅Ｗｃａ２より小さい。第２電極Ｃｂ１及びＣｂ２の各々の第１方向Ｘの第２幅Ｗｃｂは、完全に同一であり、第１幅Ｗｃａ１より小さい。また、第２幅Ｗｃｂは、拡幅部ＲＳＬの第１方向Ｘの幅より小さい。第２幅Ｗｃｂは、帯状に形成された第２電極Ｃｂの長辺間の間隔であり、第２電極Ｃｂの長さ方向にわたって一定である。
【０１２６】
検出電極Ｒｘの本体部ＲＲは、複数の第１電極Ｃａ１乃至Ｃａｋと対向しているが、第２電極Ｃｂ１及びＣｂ２とは対向していない。検出電極Ｒｘの拡幅部ＲＳＬは、少なくとも第２電極Ｃｂと対向している。本実施形態において、拡幅部ＲＳＬの全体が表示領域ＤＡに配置されている。左側の拡幅部ＲＳＬは、第１電極Ｃａ１及び第２電極Ｃｂ１の両方と対向している。右側の拡幅部ＲＳＬは、第１電極Ｃａｋ及び第２電極Ｃｂ２の両方と対向している。  
本実施形態に係るセンサ付き液晶表示装置ＤＳＰは、上記のように構成されている。
【０１２７】
表示駆動期間に、制御部（駆動ＩＣチップＩＣ１）は、上記第２電極Ｃｂ１及びＣｂ２の各々に、複数の第１電極Ｃａ１乃至Ｃａｋに供給する信号と同様のコモン駆動信号Ｖｃｏｍを供給する。センシング駆動期間に、制御部（駆動ＩＣチップＩＣ１）は、上記第２電極Ｃｂ１及びＣｂ２の各々の電位をセンサ駆動電極Ｔｘの電位と異なる値に維持する。
【０１２８】
例えば、制御部は、センシング駆動期間に第２電極Ｃｂを接地電位に維持する。あるいは、制御部は、センシング駆動期間に第２電極Ｃｂを電気的にフローティング状態に切り替える。あるいは、制御部は、センシング駆動期間に第２電極Ｃｂに対してコモン駆動信号Ｖｃｏｍを供給する。なお、制御部は、上記の例以外にも、センシング駆動期間に第２電極Ｃｂが所望電位となるように駆動してもよい。
【０１２９】
上記のことから、第２電極Ｃｂは、表示駆動に利用され、センシング駆動には実質的に利用されていない。  
そして、本実施形態では、第１幅Ｗｃａを、端の第１電極Ｃａ１，Ｃａｋと端以外の第１電極Ｃａ２乃至Ｃａｋ−１とで異ならせると言う物理的手段と、第２電極Ｃｂをセンサ駆動電極Ｔｘに利用しないと言う駆動的方法と、の組合せにより、第１面積Ｓ１を第２面積Ｓ２に近づけている。これにより、センサＳＥの全域における容量Ｃｃのばらつきが抑制され、入力位置情報を正確に検出することのできるセンサＳＥが形成されている。
【０１３０】
上記のように構成された第３の実施形態に係るセンサ付き液晶表示装置ＤＳＰによれば、液晶表示装置ＤＳＰは、複数の第１電極Ｃａ、２個の第２電極Ｃｂ、検出電極Ｒｘ及びリード線Ｌを有する表示パネルＰＮＬと、制御部と、を備えている。第１及び第ｈセンサ駆動電極Ｔｘ１及びＴｘｈの各々は、拡幅部ＲＳＬと対向しているため、各々の第１及び第ｈセンサ駆動電極Ｔｘ１及びＴｘｈの第１駆動幅Ｗｔ１は、各々の第２乃至第ｈ−１センサ駆動電極Ｔｘ２乃至Ｔｘｈ−１の第２駆動幅Ｗｔ２より小さい。また、センサ駆動電極Ｔｘは第２電極Ｃｂを利用すること無しに形成されている。このため、本実施形態は、上記第１の実施形態と同様の効果を得ることができる。
【０１３１】
センシング駆動期間において、センサ駆動電極Ｔｘとリード線Ｌとの間に位置する第２電極は、シールド電極として機能している。このため、センサ駆動電極Ｔｘとリード線Ｌとが接近して配置された構成であっても、センサ駆動電極Ｔｘとリード線Ｌとの寄生容量を低減することが可能となる。したがって、センサ駆動電極Ｔｘとリード線Ｌとの間の容量結合に起因したセンサＳＥの誤動作を抑制することが可能となる。なお、センシング駆動期間における第２電極Ｃｂの電位については、センサ駆動電極Ｔｘとリード線Ｌとの寄生容量の低減が可能であれば、上記の例に限らない。
【０１３２】
また、第２電極Ｃｂは、表示領域ＤＡに配置され、表示駆動期間には第１電極Ｃａと同様に機能する。このため、本実施形態は、第２電極Ｃｂを非表示領域ＮＤＡに配置した場合と比較して、第２電極Ｃｂを配置するスペースを非表示領域ＮＤＡに確保する必要がなく、狭額縁化が可能となる。しかも、第２電極Ｃｂは、第１電極Ｃａとともに、第２絶縁膜１２の上に配置することが可能である。このため、第２電極Ｃｂを第１電極Ｃａと同一材料を用いて同一工程で形成することが可能であり、第２電極Ｃｂを形成するための別途の工程が不要となり得る。  
上記のことから、入力位置情報を正確に検出することのできるセンサ付き液晶表示装置ＤＳＰを得ることができる。
【０１３３】
（第４の実施形態）  
次に、第４の実施形態に係るセンサ付き液晶表示装置ＤＳＰについて説明する。図２１は、本実施形態に係るセンサ付き液晶表示装置ＤＳＰのセンサＳＥの構成を示す平面図である。なお、ここでは説明に必要な主要部のみを図示している。
【０１３４】
図２１に示すように、本実施形態は、上記第３の実施形態（図２０）と比較して、拡幅部ＲＳＬが第２電極Ｃｂ１，Ｃｂ２と対向し第１電極Ｃａと対向していない点、第１駆動幅Ｗｔ１が第２駆動幅Ｗｔ２と完全に同一である点、で相違している。第１面積Ｓ１は第２面積Ｓ２に一致し、第１面積Ｓ１と第２面積Ｓ２との差はゼロである。
【０１３５】
また、第２幅Ｗｃｂは、拡幅部ＲＳＬの第１方向Ｘの幅と一致している。本実施形態のように、第２電極Ｃｂ１，Ｃｂ２を利用することにより、第１駆動幅Ｗｔ１と第２駆動幅Ｗｔ２とを完全に同一にすることが容易となる。
【０１３６】
図２２は、各々のセンサ駆動電極Ｔｘにおけるセンサ駆動電極Ｔｘと検出電極Ｒｘとの間の容量Ｃｃの値を折れ線グラフで示す図である。  
図２２に示すように、第１乃至第ｈセンサ駆動電極Ｔｘ１乃至Ｔｘｈの各々と検出電極Ｒｘとの間の容量Ｃｃの値は、均一の値である。上記のように、容量Ｃｃのばらつきを無くすことにより、液晶表示装置ＤＳＰの入力面に指などが接触あるいは接近した場合に、検出電極Ｒｘに生じる容量の変化を相対的に小さくなり難くすることができる。
【０１３７】
上記のことから、本実施形態では、拡幅部ＲＳＬを第２電極Ｃｂ１，Ｃｂ２のみに対向させ第１電極Ｃａに対向させないと言う物理的手段と、第２電極Ｃｂをセンサ駆動電極Ｔｘに利用しないと言う駆動的方法と、の組合せにより、第１面積Ｓ１を第２面積Ｓ２に一致させている。これにより、センサＳＥの全域における容量Ｃｃのばらつきが無くなり、入力位置情報を正確に検出することのできるセンサＳＥが形成されている。
【０１３８】
上記のように構成された第４の実施形態に係るセンサ付き液晶表示装置ＤＳＰにおいても、上記第３の実施形態と同様の効果を得ることができる。  
上記のことから、入力位置情報を正確に検出することのできるセンサ付き液晶表示装置ＤＳＰを得ることができる。
【０１３９】
（第５の実施形態）  
次に、第５の実施形態に係るセンサ付き液晶表示装置ＤＳＰについて説明する。図２３は、本実施形態に係るセンサ付き液晶表示装置ＤＳＰのセンサＳＥの一部を拡大して示す平面図である。
【０１４０】
図２３に示すように、本実施形態は、上記第２の実施形態と比較して、共通電極ＣＥがｋ個の第１電極Ｃａ１乃至Ｃａｋだけでなく、２個の第２電極Ｃｂ１，Ｃｂ２も備えている点、拡幅部ＲＳＬが第２電極Ｃｂ１，Ｃｂ２とも対向している点、で相違している。
【０１４１】
第２電極Ｃｂ１は、表示領域ＤＡの端部に配置され、第２方向Ｙに延在し、第１電極Ｃａ１に第１方向Ｘに間隔を置いて隣合っている。同様に、第２電極Ｃｂ２は、表示領域ＤＡの端部に配置され、第２方向Ｙに延在し、第１電極Ｃａｋに第１方向Ｘに間隔をおいて隣合っている。
【０１４２】
本実施形態において、第１電極Ｃａ１乃至Ｃａｋの各々の第１幅Ｗｃａは、完全に同一である。第２電極Ｃｂ１及びＣｂ２の各々の第２幅Ｗｃｂは、完全に同一であり、第１幅Ｗｃａより小さい。また、第２幅Ｗｃｂは、拡幅部ＲＳＬの第１方向Ｘの幅より小さい。
【０１４３】
各々の検出電極Ｒｘのうち、左側の拡幅部ＲＳＬは、第２領域Ａ２、第２電極Ｃｂ１及び第１電極Ｃａ１と対向している。各々の検出電極Ｒｘのうち、右側の拡幅部ＲＳＬは、第１領域Ａ１、第２電極Ｃｂ２及び第１電極Ｃａｋと対向している。
【０１４４】
ここで、本実施形態に係る第１電極Ｃａと第２電極Ｃｂとセンサ駆動電極Ｔｘとの関係について図２４を用いて説明する。図には、記号○を記載し、各々のセンサ駆動電極Ｔｘを形成する第１電極Ｃａを示している。  
図２４に示すように、第１及び第ｈセンサ駆動電極Ｔｘ１及びＴｘｈは、それぞれ、端のセンサ駆動電極であり、ｉ個の第１電極Ｃａで形成されている。本実施形態において、ｉ＝２である。第１及び第ｈセンサ駆動電極Ｔｘ１及びＴｘｈは、それぞれ、端の第１電極Ｃａを含む２個の第１電極Ｃａで形成されている。
【０１４５】
第２乃至第ｈ−１センサ駆動電極Ｔｘ２乃至Ｔｘｈ−１は、それぞれ、端以外のセンサ駆動電極であり、第１方向Ｘに隣合うｊ個の第１電極Ｃａで形成されている。本実施形態において、ｊ＝３である。第２乃至第ｈ−１センサ駆動電極Ｔｘ２乃至Ｔｘｈ−１の各々は、端の第１電極Ｃａを除くとともに第１方向Ｘに隣合う３個の第１電極Ｃａで形成されている。なお、第２電極Ｃｂはセンサ駆動電極Ｔｘを形成していない。
【０１４６】
図２３及び図２４に示すように、第２センサ駆動電極Ｔｘ２は、第１センサ駆動電極Ｔｘ１から第１方向Ｘにずれた位置に形成されている。本実施形態において、第２センサ駆動電極Ｔｘ２は、第１センサ駆動電極Ｔｘ１に対して、第１電極Ｃａ２を重複して利用し、第１電極Ｃａ１の１個を第１電極Ｃａ３及び第１電極Ｃａ４の２個に入れ替えて形成されている。
【０１４７】
第３乃至第ｈ−１センサ駆動電極Ｔｘ３乃至Ｔｘｈ−１も、それぞれ、１つ前のセンサ駆動電極Ｔｘから第１方向Ｘに同様にずれた位置に形成されている。例えば、第３センサ駆動電極Ｔｘ３を形成する３個の第１電極Ｃａは、第２センサ駆動電極Ｔｘ２を形成する３個の第１電極Ｃａに対して、２個入れ替わり、１個重複している。このため、第１電極Ｃａの単位でみると、第３乃至第ｈ−１センサ駆動電極Ｔｘ３乃至Ｔｘｈ−１は、それぞれ、３個の第１電極Ｃａを束ねて形成され、第１方向Ｘに２個の第１電極Ｃａ分ずれて位置している。
【０１４８】
図２３に示すように、上記のように、第２乃至第ｈ−１センサ駆動電極Ｔｘ２乃至Ｔｘｈ−１の各々は３個の第１電極Ｃａを束ねて形成されるため、これらの第２駆動幅Ｗｔ２は完全に同一である。第１及び第ｈセンサ駆動電極Ｔｘ１及びＴｘｈの各々は２個の第１電極Ｃａを束ねて形成されるため、これらの第１駆動幅Ｗｔ１は、完全に同一であり、第２駆動幅Ｗｔ２より小さい。
【０１４９】
上記のように、全ての第２駆動幅Ｗｔ２は均一である。そして、本実施形態においても、本体部ＲＲの第２方向Ｙの本体幅Ｗｒは、表示領域ＤＡ内の全域において均一である。このため、第２乃至第ｈ−１センサ駆動電極Ｔｘ２乃至Ｔｘｈ−１の各々と検出電極Ｒｘとが対向する第２面積Ｓ２は均一となる。
【０１５０】
本実施形態において、第１面積Ｓ１は、第２面積Ｓ２より僅かに大きい。但し、本実施形態は、第１及び第ｈセンサ駆動電極Ｔｘ１及びＴｘｈの各々が３個の第１電極Ｃａを束ねて形成されると仮定した場合と比較して、第１面積Ｓ１を第２面積Ｓ２に近づけることが可能であり、第１面積Ｓ１と第２面積Ｓ２との差を低減することができる。このため、センサＳＥに関する条件次第では、第１面積Ｓ１を第２面積Ｓ２に一致させることが可能である。
【０１５１】
上記のことから、本実施形態では、第１電極Ｃａを束ねる個数を変えてセンシング駆動すると言う駆動的方法と、第２電極Ｃｂをセンサ駆動電極Ｔｘに利用しないと言う他の駆動的方法と、の組合せにより、センサＳＥの全域における容量Ｃｃのばらつきが抑制され、入力位置情報を正確に検出することのできる液晶表示装置ＤＳＰが形成されている。  
なお、本実施形態においても、上記ｉ及び上記ｊは種々変形可能であり、また、複数のセンサ駆動電極Ｔｘ間で利用する第１電極Ｃａは、重複していなくともよい。
【０１５２】
ここで、本実施形態に係る液晶表示装置ＤＳＰの駆動方法としては、上記第２の本実施形態に係る液晶表示装置ＤＳＰの駆動方法を適用することができる。但し、本実施形態の液晶表示装置ＤＳＰには、第２電極Ｃｂが付加されている。このため、表示駆動期間に、制御部（駆動ＩＣチップＩＣ１）は、上記第２電極Ｃｂ１及びＣｂ２の各々に、複数の第１電極Ｃａ１乃至Ｃａｋに供給する信号と同様のコモン駆動信号Ｖｃｏｍを供給する。そして、センシング駆動期間に、制御部（駆動ＩＣチップＩＣ１）は、上記第２電極Ｃｂ１及びＣｂ２の各々の電位をセンサ駆動電極Ｔｘの電位と異なる値に維持する。上記のことから、第２電極Ｃｂは、表示駆動に利用され、センシング駆動には実質的に利用されていない。
【０１５３】
上記のように構成された第５の実施形態に係るセンサ付き液晶表示装置ＤＳＰによれば、液晶表示装置ＤＳＰは、大まかに、上記第２の実施形態と上記第３の実施形態との組合せに相当している。このため、本実施形態は、上記第２の実施形態と上記第３の実施形態との両方と同様の効果を得ることができる。  
上記のことから、入力位置情報を正確に検出することのできるセンサ付き液晶表示装置ＤＳＰを得ることができる。
【０１５４】
（上記実施形態の変形例１）  
次に、上記実施形態の変形例１に係るセンサ付き液晶表示装置ＤＳＰについて説明する。本変形例１は、上記実施形態と比較し、共通電極ＣＥの各第１電極Ｃａが第１方向Ｘに延出し、検出電極Ｒｘが概ね第２方向Ｙに延出している点で相違している。ここでは、以下、上記第１の実施形態の変形例１に係るセンサ付き液晶表示装置ＤＳＰを例に説明する。
【０１５５】
図２５に示すように、共通電極ＣＥは、表示領域ＤＡにおいて、それぞれ第２方向Ｙに間隔を置いて並び、第１方向Ｘに略直線的に延出した複数の第１電極Ｃａを備えている。検出電極Ｒｘは、表示領域ＤＡにおいて、それぞれ第１方向Ｘに間隔をおいて並び、第２方向Ｙに略直線的に延出している。これらの共通電極ＣＥ及び検出電極Ｒｘは、上記の通り、各種誘電体を挟んで対向している。第１電極Ｃａのそれぞれは、共通電極駆動回路ＣＤに電気的に接続されている。リード線Ｌは、非表示領域ＮＤＡに配置され、検出電極Ｒｘと一対一で電気的に接続されている。このようなリード線Ｌは、例えば、検出電極Ｒｘと同様に、第２基板ＳＵＢ２に配置されている。リード線Ｌのそれぞれは、フレキシブル配線基板ＦＰＣ２を介して、検出回路ＲＣに電気的に接続されている。図示した例では、リード線Ｌは、フレキシブル配線基板ＦＰＣ２が実装される第２基板ＳＵＢ２の第３領域Ａ３に配置されている。
【０１５６】
詳述しないが、検出電極Ｒｘは、表示領域ＤＡに位置する本体部ＲＲと、本体部ＲＲに接続され少なくとも一部が表示領域ＤＡに位置する単個の拡幅部ＲＳＬと、を備えている。図示した例では、拡幅部ＲＳＬは本体部ＲＲより第３領域Ａ３側に位置し、拡幅部ＲＳＬの全域が表示領域ＤＡに位置している。検出電極Ｒｘのそれぞれの拡幅部ＲＳＬは、第１方向Ｘに並び、拡幅部群ＳＲを構成している。ここでは簡略化して図示しているが、上記の通り、隣り合う拡幅部ＲＳＬは、電界の漏れを抑制できる構成を有している。
【０１５７】
このような変形例１においても、上記の例と同様の効果が得られる。加えて、図５などに示した例と比較して、各検出電極Ｒｘとフレキシブル配線基板ＦＰＣ２との間を接続するリード線Ｌの長さを短縮することができ、リード線Ｌのノイズをさらに低減することが可能となる。
【０１５８】
本発明のいくつかの実施形態及び変形例を説明したが、これらの実施形態及び変形例は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１５９】
例えば、第１電極Ｃａの個数、サイズ、形状などは、特に限定されるものではなく種々変更可能である。  
駆動ＩＣチップＩＣ１及び駆動ＩＣチップＩＣ２は、一体に形成されていてもよい。すなわち、駆動ＩＣチップＩＣ１及び駆動ＩＣチップＩＣ２は、単一の駆動ＩＣチップに集約されていてもよい。この場合、上記単一の駆動ＩＣチップは、表示パネルＰＮＬ及びセンサＳＥを駆動したり、センサＳＥから位置情報を検出したり、できればよい。  
上述した制御部は、駆動ＩＣチップＩＣ１，ＩＣ２及び制御モジュールＣＭに限定されるものではなく、種々変形可能であり、表示パネルＰＮＬ及びセンサＳＥを電気的に制御することができるものであればよい。
【０１６０】
上記の実施形態では、表示パネルＰＮＬに内蔵された共通電極ＣＥがセンサ駆動電極として機能し、さらにセンサ駆動電極と対向する検出電極Ｒｘ及びこの検出電極Ｒｘと電気的に接続されたリード線Ｌを備えたセンサ付き表示装置について説明したが、図２６に示すように、センサ駆動電極や検出電極などのセンサ要素を備えていない表示パネルに貼り付けるなどして組み合わせられるセンサ装置についても、本実施形態を適用可能である。より具体的には、センサ装置は、センサ駆動電極、検出電極、及びリード線を備えたセンサパネルと、制御部とを備えて構成される。
【０１６１】
センサ駆動電極は、表示装置の表示領域と対向する位置に設けられる。検出電極は、センサ駆動電極と対向している。リード線は、表示装置の非表示領域と対向する位置に配置されるとともに、検出電極と電気的に接続され、検出電極からのセンサ出力値を出力する。駆動部は、センサ駆動電極にセンサ駆動信号を供給すると共に、当該センサ駆動電極からのセンサ駆動信号を検出電極で検出信号として検出させ、当該検出信号の変化を読み出す。このようなセンサ装置において、検出電極は、本体部、及び、本体部よりも幅広の拡幅部を備えている。本体部は、センサ駆動電極と対向している。拡幅部の少なくとも一部は、表示領域と対向し、また、センサ駆動電極とも対向している。このようなセンサ装置においても、上記の実施形態と同様の効果が得られる。
以下に、本願出願の当初の特許請求の範囲に記載された発明を付記する。
［１］表示領域に配置され第１方向に間隔をおいて並べられ前記第１方向に交差する第２方向にそれぞれ延在した複数の第１電極と、
前記複数の第１電極と対向した本体部及び前記複数の第１電極のうち最も外側に位置する端の第１電極と対向し前記本体部に接続され前記本体部よりも幅広である拡幅部を有する検出電極と、を備え、
前記複数の第１電極は、それぞれ個別に順次センサ駆動信号が供給されることで複数のセンサ駆動電極を構成し、或いは、互いに隣り合う複数の第１電極に同時にセンサ駆動信号が供給されることで当該互いに隣り合う複数の第１電極を束にした複数のセンサ駆動電極を構成するものであって、
前記センサ駆動信号の供給に伴い構成されるセンサ駆動電極のうち、前記端の第１電極を含むセンサ駆動電極の幅は、当該端の第１電極を含まない他のセンサ駆動電極の幅より小さい、
センサ付き表示装置。
［２］一対の基板と、
前記表示領域に配置されて前記複数の第１電極に対向する複数の画素電極と、
これら第１電極と画素電極間に発生する電界に応じて動作する表示機能層と、をさらに
備え、
前記複数の第１電極、前記複数の画素電極、及び前記表示機能層は、前記一対の基板間
に位置している、
［１］に記載のセンサ付き表示装置。
［３］制御部をさらに備え、
前記制御部は、
前記検出電極を用いてセンシングを行うセンシング駆動期間に、前記センサ駆動電極に
前記センサ駆動信号を供給し、前記検出電極のセンサ出力値を検出し、
前記画素電極を用いて画像を表示する表示駆動期間に、前記複数の第１電極に対してコ
モン駆動信号を供給し、前記画素電極に対して画像信号を供給する、
［２］に記載のセンサ付き表示装置。
［４］表示領域に配置され第１方向に間隔をおいて並べられ前記第１方向に交差する第２方向にそれぞれ延在した複数の第１電極と、
前記表示領域の端部に配置され前記第２方向に延在し前記複数の第１電極のうち最も外側に位置する端の第１電極に前記第１方向に間隔をおいて隣合う第２電極と、
前記複数の第１電極と対向した本体部及び前記第２電極と対向し前記本体部に接続され前記本体部よりも幅広である拡幅部を有する検出電極と、
前記複数の第１電極にそれぞれ個別に順次センサ駆動信号を供給することでこれら複数の第１電極を複数のセンサ駆動電極として機能させ、或いは、互いに隣り合う複数の第１電極に同時に前記センサ駆動信号を供給することで束にした当該互いに隣り合う複数の第１電極を複数のセンサ駆動電極として機能させ、且つ前記検出電極を用いてセンシングを行うセンシング駆動期間に前記第２電極の電位を前記センサ駆動電極の電位と異なる値に維持する制御部と、を備える、
センサ付き表示装置。
［５］前記複数の第１電極は、それぞれ個別に順次センサ信号が供給されることで複数のセンサ駆動電極を形成し、或いは、互いに隣り合う複数の第１電極に同時にセンサ信号が供給されることで当該互いに隣り合う複数の第１電極を束にした複数のセンサ駆動電極を形成するものであって、
前記複数のセンサ駆動電極のうち、前記端の第１電極を含むセンサ駆動電極の幅は、当該端の第１電極を含まない他のセンサ駆動電極の幅より小さい、
［４］に記載のセンサ付き表示装置。
［６］前記第２電極の幅は、各々の前記第１電極の幅より小さい、
［４］に記載のセンサ付き表示装置。
［７］前記制御部は、前記センシング駆動期間に前記第２電極を接地電位に維持する、
［４］に記載のセンサ付き表示装置。
［８］前記制御部は、前記センシング駆動期間に前記第２電極を電気的にフローティング状態に切り替える、
［４］に記載のセンサ付き表示装置。
［９］一対の基板と、
前記表示領域に配置されて前記複数の第１電極又は前記第２電極に対向する複数の画素電極と、
これら第１電極と画素電極間に発生する電界に応じて動作する表示機能層と、をさらに備え、
前記複数の第１電極、前記第２電極、前記複数の画素電極、及び前記表示機能層は、前記一対の基板間に位置している、
［４］に記載のセンサ付き表示装置。
［１０］前記制御部は、
前記センシング駆動期間に、前記センサ駆動電極に前記センサ駆動信号を供給し、前記検出電極のセンサ出力値を検出し、
前記画素電極を用いて画像を表示する表示駆動期間に、前記複数の第１電極及び前記第２電極に対してコモン駆動信号を供給し、前記画素電極に対して画像信号を供給する、
［９］に記載のセンサ付き表示装置。
［１１］前記検出電極の本体部は、前記第１方向に延在し、
前記本体部の幅は、前記表示領域内の全域において均一である、
［１］又は［４］に記載のセンサ付き表示装置。
［１２］最も外側に位置する端の第１電極を含む第１センサ駆動電極と前記検出電極とが対向する第１面積と、当該端の第１電極を含まない第２センサ駆動電極と前記検出電極とが対向する第２面積とは、同一である、
［１］又は［４］に記載のセンサ付き表示装置。
［１３］各々の前記第１電極の幅は、同一であり、
前記第１センサ駆動電極は、前記端の第１電極又は互いに隣り合う２個以上の第１電極であるｉ個の第１電極で形成され、
前記第２センサ駆動電極は、互いに隣り合うｊ個の第１電極で形成され、
前記ｉは自然数であり、
前記ｊは前記ｉを超える自然数である、
［１］又は［４］に記載のセンサ付き表示装置。
［１４］前記制御部は、
前記センシング駆動期間における第１センシング駆動期間に、前記第１センサ駆動電極に前記センサ駆動信号を供給し、前記検出電極のセンサ出力値を検出し、
前記センシング駆動期間において前記第１センシング駆動期間に続く第２センシング駆動期間に、前記第２センサ駆動電極に前記センサ駆動信号を供給し、前記検出電極のセンサ出力値を検出し、
前記第２センサ駆動電極は、前記第１センサ駆動電極から前記第１方向にずれた位置に形成され、
前記第２センサ駆動電極を形成する前記ｊ個の第１電極は、前記第１センサ駆動電極を形成する前記ｉ個の第１電極から１個以上入れ替わっている、
［１３］に記載のセンサ付き表示装置。
［１５］前記第２センサ駆動電極を形成する前記ｊ個の第１電極は、前記第１センサ駆動電極を形成する前記ｉ個の第１電極と１個以上重複している、
［１４］に記載のセンサ付き表示装置。
［１６］前記複数のセンサ駆動電極は、前記第２センサ駆動電極から前記第１方向にずれた位置にて前記第１方向に隣合う前記ｊ個の第１電極で形成された第３センサ駆動電極をさらに含み、
前記第３センサ駆動電極を形成する前記ｊ個の第１電極は、前記第２センサ駆動電極を形成する前記ｊ個の第１電極に対して、１個以上入れ替わり、１個以上重複している、
［１５］に記載のセンサ付き表示装置。
［１７］第１方向に間隔をおいて並べられ前記第１方向に交差する第２方向にそれぞれ延在した複数の第１電極と、
前記複数の第１電極と対向した本体部及び前記複数の第１電極のうち最も外側に位置する端の第１電極と対向し前記本体部に接続され前記本体部よりも幅広である拡幅部を有する検出電極と、を備え、
前記複数の第１電極は、それぞれ個別に順次センサ駆動信号が供給されることで複数のセンサ駆動電極を構成し、或いは、互いに隣り合う複数の第１電極に同時に前記センサ駆動信号が供給されることで当該互いに隣り合う複数の第１電極を束にした複数のセンサ駆動電極を構成するものであって、
前記センサ駆動信号の供給に伴い構成されるセンサ駆動電極のうち、前記端の第１電極を含むセンサ駆動電極の幅は、当該端の第１電極を含まない他のセンサ駆動電極の幅より小さい、
センサ装置。
［１８］第１方向に間隔をおいて並べられ前記第１方向に交差する第２方向にそれぞれ延在した複数の第１電極と、
前記複数の第１電極より外側に配置され前記第２方向に延在し前記複数の第１電極のうち最も外側に位置する端の第１電極に前記第１方向に間隔をおいて隣合う第２電極と、
前記複数の第１電極と対向した本体部及び前記第２電極と対向し前記本体部に接続され前記本体部よりも幅広である拡幅部を有する検出電極と、
前記複数の第１電極にそれぞれ個別に順次センサ駆動信号を供給することでこれら複数の第１電極を複数のセンサ駆動電極として機能させ、或いは、互いに隣り合う複数の第１電極に同時に前記センサ駆動信号を供給することで束にした当該互いに隣り合う複数の第１電極を複数のセンサ駆動電極として機能させ、且つ前記検出電極を用いてセンシングを行うセンシング駆動期間に前記第２電極の電位を前記センサ駆動電極の電位と異なる値に維持する制御部と、を備える、
センサ装置。
【符号の説明】
【０１６２】
ＤＳＰ…液晶表示装置、ＰＮＬ…表示パネル、ＳＥ…センサ、ＩＣ１，ＩＣ２…駆動ＩＣチップ、ＣＭ…制御モジュール、ＳＤ…ソース線駆動回路、ＧＤ…ゲート線駆動回路、ＣＤ…共通電極駆動回路、ＰＸ…画素、ＳＵＢ１…第１基板、ＳＵＢ２…第２基板、ＬＣ…液晶層、ＰＥ…画素電極、ＣＥ…共通電極、Ｃａ…第１電極、Ｃｂ…第２電極、ＲＳＬ…拡幅部、ＲＲ…本体部、Ｔｘ…センサ駆動電極、Ｌ…リード線、ＤＡ…表示領域、ＮＤＡ…非表示領域、Ｒｘ…検出電極、Ｘ…第１方向、Ｙ…第２方向、Ｓ１…第１面積、Ｓ２…第２面積、Ｃｃ…容量、Ｗｔ１…第１駆動幅、Ｗｔ２…第２駆動幅、Ｗｃａ…第１幅、Ｗｃｂ…第２幅、Ｐｄ…表示駆動期間、Ｐｓ…センシング駆動期間。
【図１】
0006710531.tif 000002
【図２】
0006710531.tif 000003
【図３】
0006710531.tif 000004
【図４】
0006710531.tif 000005
【図５】
0006710531.tif 000006
【図６】
0006710531.tif 000007
【図７】
0006710531.tif 000008
【図８】
0006710531.tif 000009
【図９】
0006710531.tif 000010
【図１０】
0006710531.tif 000011
【図１１】
0006710531.tif 000012
【図１２】
0006710531.tif 000013
【図１３】
0006710531.tif 000014
【図１４】
0006710531.tif 000015
【図１５】
0006710531.tif 000016
【図１６】
0006710531.tif 000017
【図１７】
0006710531.tif 000018
【図１８】
0006710531.tif 000019
【図１９】
0006710531.tif 000020
【図２０】
0006710531.tif 000021
【図２１】
0006710531.tif 000022
【図２２】
0006710531.tif 000023
【図２３】
0006710531.tif 000024
【図２４】
0006710531.tif 000025
【図２５】
0006710531.tif 000026
【図２６】
0006710531.tif 000027